(57)【特許請求の範囲】
【請求項１】
ワイヤレス通信ネットワーク上でパケットを送信する方法であって、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に基づいて決定される、
を備える方法。
【請求項２】
前記第１のシンボル持続時間が３．２μｓであり、前記第２のシンボル持続時間が６．４μｓである、請求項１に記載の方法。
【請求項３】
前記第１のシンボル持続時間が６．４μｓであり、前記第２のシンボル持続時間が１２．８μｓである、請求項１に記載の方法。
【請求項４】
前記第３の持続時間が０．８μｓである、請求項１に記載の方法。
【請求項５】
前記第３の持続時間が０．４μｓである、請求項１に記載の方法。
【請求項６】
パケットのプリアンブルを生成することと、前記プリアンブルが、１つまたは複数の時空間ストリームを介して送信されるものであり、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記パケットのペイロードを生成することと、前記ペイロードが、前記１つまたは複数の時空間ストリームを介して送信されるものであり、前記ペイロードが、第２のシンボル持続時間の１つまたは複数のシンボルを備え、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に基づいて決定される、
を行うように構成されたプロセッサと、
前記パケットを送信するように構成された送信機と
を備えるワイヤレス通信装置。
【請求項７】
前記第１のシンボル持続時間が３．２μｓであり、前記第２のシンボル持続時間が６．４μｓである、請求項６に記載のワイヤレス通信装置。
【請求項８】
前記第１のシンボル持続時間が６．４μｓであり、前記第２のシンボル持続時間が１２．８μｓである、請求項６に記載のワイヤレス通信装置。
【請求項９】
前記第３の持続時間が０．８μｓである、請求項６に記載のワイヤレス通信装置。
【請求項１０】
前記第３の持続時間が０．４μｓである、請求項６に記載のワイヤレス通信装置。
【請求項１１】
実行されたとき、ワイヤレス通信ネットワークを介してパケットを送信する方法をデバイスの中のプロセッサに実行させる命令を備えるコンピュータプログラムであって、前記方法が、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に基づいて決定される、
を備える、コンピュータプログラム。
【請求項１２】
前記第１のシンボル持続時間が３．２μｓであり、前記第２のシンボル持続時間が６．４μｓである、請求項１１に記載のコンピュータプログラム。
【請求項１３】
前記第１のシンボル持続時間が６．４μｓであり、前記第２のシンボル持続時間が１２．８μｓである、請求項１１に記載のコンピュータプログラム。
【請求項１４】
前記第３の持続時間が０．８μｓである、請求項１１に記載のコンピュータプログラム。
【請求項１５】
前記第３の持続時間が０．４μｓである、請求項１１に記載のコンピュータプログラム。
【請求項１６】
１つまたは複数の時空間ストリームを介して送信されるパケットのプリアンブルを生成するための手段と、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、  前記１つまたは複数の時空間ストリームを介して送信されるべき前記パケットのペイロードを生成するための手段と、前記ペイロードが、第２のシンボル持続時間の１つまたは複数のシンボルを備え、ここで、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に基づいて決定される、
前記パケットを送信するための手段と
を備えるワイヤレス通信装置。
【請求項１７】
前記第１のシンボル持続時間が３．２μｓであり、前記第２のシンボル持続時間が６．４μｓである、請求項１６に記載のワイヤレス通信装置。
【請求項１８】
前記第１のシンボル持続時間が６．４μｓであり、前記第２のシンボル持続時間が１２．８μｓである、請求項１６に記載のワイヤレス通信装置。
【請求項１９】
前記第３の持続時間が０．８μｓである、請求項１６に記載のワイヤレス通信装置。
【請求項２０】
前記第３の持続時間が０．４μｓである、請求項１６に記載のワイヤレス通信装置。
【発明の詳細な説明】
【技術分野】
【０００１】
[0001]本出願は、一般に、ワイヤレス通信に関し、より詳細には、より長いシンボル持続時間用のロングトレーニングフィールド設計の改善のためのシステム、方法、およびデバイスに関する。本明細書におけるいくつかの態様は、より長いシンボル持続時間が使用されるとき、場合によってはロングトレーニングフィールドに関連し得るオーバーヘッドを低減することに関する。
【背景技術】
【０００２】
[0002]多くの電気通信システムでは、いくつかの対話している空間的に分離されたデバイスの間でメッセージを交換するために、通信ネットワークが使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定されることになる。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定されたワイヤードネットワークと比較すると、ユーザモビリティと迅速なフィールド展開とを容易にする。
【０００４】
[0004]ワイヤレスネットワーク中のデバイスは、互いの間で情報を送信／受信することができる。情報は、いくつかの態様ではデータユニットと呼ばれることがあるパケットを備えることができる。各データユニットはいくつかのシンボルから構成されてよく、シンボルの各々は特定の持続時間であってよい。より長距離にわたって送信するときなどの、または屋外環境において送信するときなどのいくつかの環境では、より長いシンボル持続時間が望ましいことがある。しかしながら、より長いシンボルを送信することは、送信のいくつかの態様の場合、ネットワークオーバーヘッドを増大させることがある。したがって、このオーバーヘッドを最小限に抑えることが望ましい場合がある。
【発明の概要】
【０００５】
[0005]本明細書で説明するシステム、方法、デバイス、およびコンピュータプログラム製品は各々、いくつかの態様を有し、それらのうちの単一の態様が単独でその望ましい属性を担うとは限らない。以下の特許請求の範囲によって表されるような本発明の範囲を制限することなく、いくつかの特徴を以下で手短に説明する。この説明を考察すれば、特に「発明を実施するための形態」と題するセクションを読めば、増大されたシンボル長を伴うある種の送信において、低減されたオーバーヘッドを本発明の有利な特徴がどのように含むのかが理解されよう。
【０００６】
[0006]本開示の一態様は、ワイヤレス通信ネットワーク上でパケットを送信する方法を提供する。方法は、１つまたは複数の時空間ストリームを介してパケットのプリアンブルを送信することを備え、プリアンブルは、チャネル推定のために使用されるように構成された１つまたは複数のトレーニングフィールドを含み、１つまたは複数のトレーニングフィールドは各々、第１のシンボル持続時間の１つまたは複数のシンボルを備える。方法は、１つまたは複数の時空間ストリームを介してパケットのペイロードを送信することをさらに備え、ペイロードは、第２のシンボル持続時間の１つまたは複数のシンボルを備え、第２のシンボル持続時間は、第１のシンボル持続時間よりも長い。
【０００７】
[0007]一態様では、ワイヤレス通信装置が開示される。装置は、パケットのプリアンブルを生成するように構成されたプロセッサを備え、プリアンブルは、１つまたは複数の時空間ストリームを介して送信されるものであり、プリアンブルは、チャネル推定のために使用されるように構成された１つまたは複数のトレーニングフィールドを含み、１つまたは複数のトレーニングフィールドは各々、第１のシンボル持続時間の１つまたは複数のシンボルを備える。プロセッサはまた、パケットのペイロードを生成するように構成され、ペイロードは、１つまたは複数の時空間ストリームを介して送信されるものであり、ペイロードは、第２のシンボル持続時間の１つまたは複数のシンボルを備え、第２のシンボル持続時間は、第１のシンボル持続時間よりも長い。装置は、パケットを送信するように構成された送信機をさらに備える。
【０００８】
[0008]本開示のいくつかの態様は、実行されたとき、ワイヤレス通信ネットワークを介してパケットを送信する方法をデバイスの中のプロセッサに実行させる命令を備える非一時的コンピュータ可読媒体に関する。方法は、１つまたは複数の時空間ストリームを介してパケットのプリアンブルを送信することを備え、プリアンブルは、チャネル推定のために使用されるように構成された１つまたは複数のトレーニングフィールドを含み、１つまたは複数のトレーニングフィールドは各々、第１のシンボル持続時間の１つまたは複数のシンボルを備える。方法はまた、１つまたは複数の時空間ストリームを介してパケットのペイロードを送信することを備え、ペイロードは、第２のシンボル持続時間の１つまたは複数のシンボルを備え、第２のシンボル持続時間は、第１のシンボル持続時間よりも長い。
【０００９】
[0009]一態様では、ワイヤレス通信装置が開示される。装置は、１つまたは複数の時空間ストリームを介して送信されるべきパケットのプリアンブルを生成するための手段を備え、プリアンブルは、チャネル推定のために使用されるように構成された１つまたは複数のトレーニングフィールドを含み、１つまたは複数のトレーニングフィールドは各々、第１のシンボル持続時間の１つまたは複数のシンボルを備える。装置は、１つまたは複数の時空間ストリームを介して送信されるべきパケットのペイロードを生成するための手段をさらに備え、ペイロードは、第２のシンボル持続時間の１つまたは複数のシンボルを備え、ここで、第２のシンボル持続時間は、第１のシンボル持続時間よりも長い。装置は、パケットを送信するための手段をさらに備える。
【００１０】
[0010]本開示の一態様は、ワイヤレス通信ネットワーク上でパケットを送信する方法を提供する。方法は、複数のトーンにわたるＮSTS個の時空間ストリームを介してパケットのプリアンブルを送信することを備え、プリアンブルは、複数の時空間ストリームの各々に対するチャネル推定のために使用されるように構成されたＮTF個のトレーニングフィールドを含み、ただし、ＮSTSが１よりも大きく、ＮTFがＮSTSよりも小さい。方法は、ＮSTS個の時空間ストリームを介してパケットのペイロードを送信することをさらに備える。
【００１１】
[0011]一態様では、ワイヤレス通信装置が開示される。装置は、複数のトーンにわたるＮSTS個の時空間ストリームを介してパケットのプリアンブルを生成するように構成されたプロセッサを備え、プリアンブルは、複数の時空間ストリームの各々に対するチャネル推定のために使用されるように構成されたＮTF個のトレーニングフィールドを含み、ただし、ＮSTSが１よりも大きく、ＮTFがＮSTSよりも小さい。プロセッサは、ＮSTS個の時空間ストリームを介して送信されるべきパケットのペイロードを生成するようにさらに構成される。装置は、パケットを送信するように構成された送信機をさらに備える。
【００１２】
[0012]本開示のいくつかの態様は、実行されたとき、ワイヤレス通信ネットワークを介してパケットを送信する方法をデバイスの中のプロセッサに実行させる命令を備える非一時的コンピュータ可読媒体に関する。方法は、複数のトーンにわたるＮSTS個の時空間ストリームを介してパケットのプリアンブルを送信することを備え、プリアンブルは、複数の時空間ストリームの各々に対するチャネル推定のために使用されるように構成されたＮTF個のトレーニングフィールドを含み、ただし、ＮSTSが１よりも大きく、ＮTFがＮSTSよりも小さい。方法は、ＮSTS個の時空間ストリームを介してパケットのペイロードを送信することをさらに備える。
【００１３】
[0013]一態様では、ワイヤレス通信装置が開示される。装置は、複数のトーンにわたるＮSTS個の時空間ストリームを介してパケットのプリアンブルを送信するための手段を備え、プリアンブルは、複数の時空間ストリームの各々に対するチャネル推定のために使用されるように構成されたＮTF個のトレーニングフィールドを含み、ただし、ＮSTSが１よりも大きく、ＮTFがＮSTSよりも小さい。装置は、ＮSTS個の時空間ストリームを介してパケットのペイロードを送信するための手段をさらに備える。
【００１４】
[0014]本開示の一態様は、ワイヤレス通信ネットワーク上でパケットを送信する方法を提供する。方法は、複数のトーンにわたるＮSTS個の時空間ストリームを介してパケットのプリアンブルを送信することを備え、プリアンブルは、複数の時空間ストリームの各々に対するチャネル推定のために使用されるように構成されたＮTF個のトレーニングフィールドを含み、ここで、ＮSTS個の時空間ストリームのサブセットが、各トーンにおいてアクティブである。方法は、ＮSTS個の時空間ストリームを介してパケットのペイロードを送信することをさらに備える。
【００１５】
[0015]一態様では、ワイヤレス通信装置が開示される。装置は、複数のトーンにわたるＮSTS個の時空間ストリームを介してパケットのプリアンブルを生成するように構成されたプロセッサを備え、プリアンブルは、複数の時空間ストリームの各々に対するチャネル推定のために使用されるように構成されたＮTF個のトレーニングフィールドを含み、ここで、ＮSTS個の時空間ストリームのサブセットが、各トーンにおいてアクティブである。プロセッサは、ＮSTS個の時空間ストリームを介して送信されるべきパケットのペイロードを生成するようにさらに構成される。装置は、パケットを送信するように構成された送信機をさらに備える。
【００１６】
[0016]本開示のいくつかの態様は、実行されたとき、ワイヤレス通信ネットワークを介してパケットを送信する方法をデバイスの中のプロセッサに実行させる命令を備える非一時的コンピュータ可読媒体に関する。方法は、複数のトーンにわたるＮSTS個の時空間ストリームを介してパケットのプリアンブルを送信することを備え、プリアンブルは、複数の時空間ストリームの各々に対するチャネル推定のために使用されるように構成されたＮTF個のトレーニングフィールドを含み、ここで、ＮSTS個の時空間ストリームのサブセットが、各トーンにおいてアクティブである。方法は、ＮSTS個の時空間ストリームを介してパケットのペイロードを送信することをさらに備える。
【００１７】
[0017]一態様では、ワイヤレス通信装置が開示される。装置は、複数のトーンにわたるＮSTS個の時空間ストリームを介してパケットのプリアンブルを送信するための手段を備え、プリアンブルは、複数の時空間ストリームの各々に対するチャネル推定のために使用されるように構成されたＮTF個のトレーニングフィールドを含み、ここで、ＮSTS個の時空間ストリームのサブセットが、各トーンにおいてアクティブである。装置は、ＮSTS個の時空間ストリームを介してパケットのペイロードを送信するための手段をさらに備える。
【図面の簡単な説明】
【００１８】
【図１】[0018]本開示の態様が採用され得るワイヤレス通信システムの一例を示す図。
【図２】[0019]図１のワイヤレス通信システム内で採用され得る例示的なワイヤレスデバイスの機能ブロック図。
【図３】[0020]ワイヤレス通信を送信するために図２のワイヤレスデバイスとともに利用され得る例示的な構成要素の機能ブロック図。
【図４】[0021]ワイヤレス通信を受信するために図２のワイヤレスデバイスとともに利用され得る例示的な構成要素の機能ブロック図。
【図５】[0022]トーンインターリーブされたロングトレーニングフィールド（ＬＴＦ）フォーマットの図。
【図６】[0023]ＬＴＦを生成するために周波数領域Ｐ行列として使用され得る行列の図。
【図７】[0024]図６の周波数領域マッピングへの時間領域相対物を示す図。
【図８】[0025]図６および図７のような直交行列方式を使用してＬＴＦを送信するときに使用され得るインターリービングの図。
【図９】[0026]パケットを送信するための方法の図。
【図１０】[0027]パケットを送信するための方法の図。
【図１１Ａ】[0028]ＬＴＦを生成するために周波数領域Ｐ行列として使用され得る行列の図。
【図１１Ｂ】[0029]図１１Ａの行列を使用して生成されるＬＴＦ信号を示す表。
【図１２Ａ】[0030]トーングルーピング実施形態に従ってＬＴＦを生成するために周波数領域Ｐ行列として使用され得る行列の図。
【図１２Ｂ】[0031]トーングルーピング実施形態に従ってＬＴＦを生成するために周波数領域Ｐ行列として使用され得るトーン依存行列の図。
【図１２Ｃ】[0032]図１２Ａ〜図１２Ｂの行列を使用して生成されるＬＴＦ信号を示す表。
【図１３Ａ】[0033]一実施形態によるＬＴＦ空間ストリームトーンマッピングを示す表。
【図１３Ｂ】[0034]別の実施形態によるＬＴＦ空間ストリームトーンマッピングを示す表。
【図１３Ｃ】[0035]別の実施形態によるＬＴＦ空間ストリームトーンマッピングを示す表。
【図１４】[0036]パケットを送信するための別の方法の図。
【発明を実施するための形態】
【００１９】
[0037]「例示的」という単語は、本明細書では、「例、事例、または例示の働きをすること」を意味するために使用される。本明細書で「例示的」と記載されたいかなる実施形態も、必ずしも他の実施形態よりも好ましいまたは有利であると解釈されるべきではない。添付の図面を参照しながら、新規のシステム、装置、および方法の様々な態様が以下でより十分に説明される。ただし、本開示は、多くの異なる形態で実施されてよく、本開示全体にわたって提示する任意の特定の構造または機能に限定されるものと解釈すべきではない。むしろ、これらの態様は、本開示が周到で完全になり、本開示の範囲を当業者に十分に伝えるように与えられる。本明細書の教示に基づいて、本開示の範囲が、本発明の他の態様とは無関係に実装されるにせよ、本発明の他の態様と組み合わされるにせよ、本明細書で開示する新規のシステム、装置、および方法のいかなる態様をも包含するものであることを、当業者なら諒解されたい。たとえば、本明細書に記載した任意の数の態様を使用して、装置が実装されてよく、または方法が実践されてよい。加えて、本発明の範囲は、本明細書に記載した本発明の様々な態様に加えて、またはそれ以外の、他の構造、機能、または構造および機能を使用して実践されるそのような装置または方法を包含するものとする。本明細書で開示するいかなる態様も、請求項の１つまたは複数の要素によって具現化され得ることを理解されたい。
【００２０】
[0038]本明細書では特定の態様が説明されるが、これらの態様の多くの変形形態および置換が本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図において、および好適な態様についての以下の説明において示す。発明を実施するための形態および各図面は、限定的でなく、本開示の単に例示であり、本開示の範囲は、添付の特許請求の範囲およびその均等物によって定義される。
【００２１】
[0039]ワイヤレスネットワーク技術は、様々なタイプのワイヤレスローカルエリアネットワーク（ＷＬＡＮ）を含むことができる。ＷＬＡＮは、広く使用されているネットワーキングプロトコルを採用して、近くのデバイスを一緒に相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなどの任意の通信規格に適用され得る。たとえば、本明細書で説明する様々な態様は、ＩＥＥＥ８０２．１１ａｘプロトコルの一部として使用され得る。
【００２２】
[0040]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（ステーションとも呼ばれ、一般に「ＳＴＡ」として知られる）クライアントが存在し得る。一般に、ＡＰはＷＬＡＮのためのハブまたは基地局として働き、ＳＴＡはＷＬＡＮのユーザとして働く。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的な接続性を取得するために、Ｗｉ−Ｆｉ（たとえば、８０２．１１ａｘなどのＩＥＥＥ８０２．１１プロトコル）準拠のワイヤレスリンクを介してＡＰに接続する。いくつかの実装形態では、ＳＴＡはＡＰとしても使用され得る。
【００２３】
[0041]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、または他の何らかの用語を備え、実装され、または知られ得る。
【００２４】
[0042]ステーション「ＳＴＡ」はまた、アクセス端末（「ＡＴ」）、加入者局、加入者ユニット、移動局、リモート局、リモート端末、ユーザ端末、ユーザエージェント、ユーザデバイス、ユーザ機器、もしくは他の何らかの用語を備え、実装され、または知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された他の何らかの適切な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスまたはゲームシステム、全地球測位システムデバイス、あるいはワイヤレス媒体を介して通信するように構成された任意の他の好適なデバイスに組み込まれ得る。
【００２５】
[0043]図１は、本開示の態様が採用され得るワイヤレス通信システム１００の一例を示す。ワイヤレス通信システム１００は、ワイヤレス規格、たとえば８０２．１１ａｘ規格に従って動作することができる。ワイヤレス通信システム１００は、ＳＴＡ１０６ａ〜ｄ（本明細書ではＳＴＡ１０６と呼ぶ）と通信するＡＰ１０４を含むことができる。
【００２６】
[0044]様々なプロセスおよび方法は、ＡＰ１０４とＳＴＡ１０６との間の、ワイヤレス通信システム１００における送信に使用され得る。たとえば、信号は、ＯＦＤＭ／ＯＦＤＭＡ技法に従って、ＡＰ１０４とＳＴＡ１０６との間で送信および受信され得る。そうである場合、ワイヤレス通信システム１００は、ＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。そうである場合、ワイヤレス通信システム１００は、ＣＤＭＡシステムと呼ばれることがある。
【００２７】
[0045]ＡＰ１０４からＳＴＡ１０６のうちの１つまたは複数への送信を容易にする通信リンクは、ダウンリンク（ＤＬ）１０８と呼ばれることがあり、ＳＴＡ１０６のうちの１つまたは複数からＡＰ１０４への送信を容易にする通信リンクは、アップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２８】
[0046]ＡＰ１０４は、基地局として働くことができ、基本サービスエリア（ＢＳＡ）１０２においてワイヤレス通信カバレージを提供することができる。ＡＰ１０４に関連付けられ、通信のためにＡＰ１０４を使用するＳＴＡ１０６とともに、ＡＰ１０４は基本サービスセット（ＢＳ）と呼ばれることがある。ワイヤレス通信システム１００が中央ＡＰ１０４を有しなくてよく、むしろ、ＳＴＡ１０６間のピアツーピアネットワークとして機能できることに留意されたい。したがって、本明細書で説明するＡＰ１０４の機能は、代替的にＳＴＡ１０６のうちの１つまたは複数によって実行され得る。
【００２９】
[0047]図２は、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４、またはＳＴＡ１０６のうちの１つを備えることができる。
【００３０】
[0048]ワイヤレスデバイス２０２は、ワイヤレスデバイス２０２の動作を制御するプロセッサ２０４を含むことができる。プロセッサ２０４は、中央処理ユニット（ＣＰＵ）と呼ばれることもある。読取り専用メモリ（ＲＯＭ）とランダムアクセスメモリ（ＲＡＭ）の両方を含むことができるメモリ２０６は、命令とデータとをプロセッサ２０４に提供する。メモリ２０６の一部分はまた、不揮発性ランダムアクセスメモリ（ＮＶＲＡＭ）を含むことができる。プロセッサ２０４は、通常、メモリ２０６内に記憶されたプログラム命令に基づいて、論理演算と算術演算とを実行する。メモリ２０６の中の命令は、本明細書で説明する方法を実施するように実行可能であり得る。
【００３１】
[0049]プロセッサ２０４は、１つまたは複数のプロセッサを用いて実装された処理システムを備えることができ、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェア構成要素、専用ハードウェア有限ステートマシン、または情報の計算もしくは他の操作を実行できる任意の他の適切なエンティティの、任意の組合せを用いて実装され得る。
【００３２】
[0050]処理システムはまた、ソフトウェアを記憶するための機械可読媒体を含むことができる。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコード形式、バイナリコード形式、実行可能コード形式、または任意の他の好適なコード形式の）コードを含むことができる。命令は、１つまたは複数のプロセッサによって実行されたとき、処理システムに本明細書で説明する様々な機能を実施させる。
【００３３】
[0051]ワイヤレスデバイス２０２はまた、ワイヤレスデバイス２０２と遠隔地との間のデータの送信と受信とを可能にするために、送信機２１０と受信機２１２とを含むことができるハウジング２０８を含むことができる。送信機２１０および受信機２１２は、組み合わされてトランシーバ２１４になることができる。アンテナ２１６は、ハウジング２０８に取り付けられ得、トランシーバ２１４に電気的に結合され得る。ワイヤレスデバイス２０２はまた、複数の送信機、複数の受信機、複数のトランシーバ、および／または複数のアンテナを含むことができる（図示せず）。
【００３４】
[0052]ワイヤレスデバイス２０２はまた、トランシーバ２１４によって受信された信号のレベルを検出および定量化するために使用され得る、信号検出器２１８を含むことができる。信号検出器２１８は、総エネルギー、シンボルごとのサブキャリア当たりのエネルギー、電力スペクトル密度、および他の信号などの信号を検出することができる。ワイヤレスデバイス２０２はまた、信号を処理する際に使用するためのデジタル信号プロセッサ（ＤＳＰ）２２０を含むことができる。ＤＳＰ２２０は、送信用のデータユニットを生成するように構成され得る。いくつかの態様では、データユニットは、物理レイヤデータユニット（ＰＰＤＵ）を備えることができる。いくつかの態様では、ＰＰＤＵはパケットと呼ばれる。
【００３５】
[0053]ワイヤレスデバイス２０２は、いくつかの態様では、ユーザインターフェース２２２をさらに備えることができる。ユーザインターフェース２２２は、キーパッド、マイクロフォン、スピーカー、および／またはディスプレイを備えることができる。ユーザインターフェース２２２は、ワイヤレスデバイス２０２のユーザに情報を伝達し、および／またはユーザからの入力を受け取る、任意の要素または構成要素を含むことができる。
【００３６】
[0054]ワイヤレスデバイス２０２の様々な構成要素は、バスシステム２２６によって互いに結合され得る。バスシステム２２６は、たとえば、データバス、ならびに、データバスに加えて、電力バスと、制御信号バスと、ステータス信号バスとを含むことができる。ワイヤレスデバイス２０２の構成要素が、何らかの他の機構を使用して、互いに結合され得るか、または互いへの入力を受け入れ、もしくは提供し得ることを当業者なら諒解されよう。
【００３７】
[0055]いくつかの別個の構成要素が図２に示されるが、構成要素のうちの１つまたは複数が組み合わせられてよく、または共通に実装されてもよいことを、当業者なら認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００３８】
[0056]上記で説明したように、ワイヤレスデバイス２０２は、ＡＰ１０４またはＳＴＡ１０６を備えることができ、通信を送信および／または受信するために使用され得る。図３は、ワイヤレス通信を送信するためにワイヤレスデバイス２０２において利用され得る送信機モジュール３００を示す。図３に示す構成要素は、たとえば、ＯＦＤＭ通信を送信するために使用され得る。
【００３９】
[0057]送信機モジュール３００は、送信のためにビットを変調するように構成された変調器３０２を備えることができる。たとえば、送信機モジュール３００が図２におけるワイヤレスデバイス２０２の構成要素として使用される場合、変調器３０２は、たとえばコンスタレーションに従ってビットを複数のシンボルにマッピングすることによって、プロセッサ２０４またはユーザインターフェース２２２から受信されたビットから複数のシンボルを決定することができる。ビットは、ユーザデータまたは制御情報に対応することができる。いくつかの態様では、ビットは、コードワードの中で受信される。一態様では、変調器３０２は、ＱＡＭ（直交振幅変調）変調器、たとえば１６ＱＡＭ変調器または６４ＱＡＭ変調器を備える。他の態様では、変調器３０２は、２位相シフトキーイング（ＢＰＳＫ）変調器または４位相シフトキーイング（ＱＰＳＫ）変調器を備える。
【００４０】
[0058]送信機モジュール３００は、変調器３０２からのシンボルまたは別のやり方で変調されたビットを時間領域に変換するように構成された変換モジュール３０４をさらに備えることができる。図３において、変換モジュール３０４は、逆高速フーリエ変換（ＩＦＦＴ）モジュールによって実装されるものとして示される。いくつかの実装形態では、異なるサイズのデータのユニットを変換する複数の変換モジュール（図示せず）があり得る。
【００４１】
[0059]図３において、変調器３０２および変換モジュール３０４は、ＤＳＰ２２０の中に実装されるものとして示される。しかしながら、いくつかの態様では、変調器３０２と変換モジュール３０４のうちの一方または両方は、プロセッサ２０４の中のように、ワイヤレスデバイス２０２の他の構成要素の中に実装され得る。
【００４２】
[0060]概して、ＤＳＰ２２０は、送信用のデータユニットを生成するように構成され得る。いくつかの態様では、変調器３０２および変換モジュール３０４は、制御情報および複数のデータシンボルを含む複数のフィールドを備えるデータユニットを生成するように構成され得る。制御情報を含むフィールドは、たとえば、１つまたは複数のトレーニングフィールドと、１つまたは複数の信号（ＳＩＧ）フィールドとを備えることができる。トレーニングフィールドの各々は、ビットまたはシンボルの既知のシーケンスを含むことができる。ＳＩＧフィールドの各々は、データユニットについての情報、たとえばデータユニットの長さまたはデータレートの記述を含むことができる。
【００４３】
[0061]図３の説明に戻ると、送信機モジュール３００は、変換モジュールの出力をアナログ信号に変換するように構成されたデジタルアナログ変換器３０６をさらに備えることができる。たとえば、変換モジュール３０６の時間領域出力は、デジタルアナログ変換器３０６によってベースバンドＯＦＤＭ信号に変換され得る。いくつかの態様では、送信機モジュール３００の部分は、図２からのワイヤレスデバイス２０２の中に含まれ得る。たとえば、デジタルアナログ変換器３０６は、プロセッサ２０４、トランシーバ２１４の中に、またはワイヤレスデバイス２０２の別の要素の中に実装され得る。
【００４４】
[0062]アナログ信号は、送信機３１０によってワイヤレス送信され得る。アナログ信号は、送信機３１０によって送信される前に、たとえばフィルタリングされることによって、または中間周波数もしくはキャリア周波数にアップコンバージョンされることなどによって、さらに処理され得る。図３に示す態様では、送信機３１０は、送信増幅器３０８を含む。送信される前に、アナログ信号は送信増幅器３０８によって増幅され得る。いくつかの態様では、増幅器３０８は、低雑音増幅器（ＬＮＡ）を備える。
【００４５】
[0063]送信機３１０は、アナログ信号に基づいて、ワイヤレス信号の中の１つまたは複数のパケットまたはデータユニットを送信するように構成される。データユニットは、プロセッサおよび／またはＤＳＰ２２０を使用して、たとえば、上記で説明したような変調器３０２と変換モジュール３０４とを使用して生成され得る。上記で説明したように生成および送信され得るデータユニットが、図５〜図１４に関して以下でさらに詳細に説明される。
【００４６】
[0064]図４は、ワイヤレス通信を受信するためにワイヤレスデバイス２０２において利用され得る受信モジュール４００を示す。図４に示す構成要素は、たとえば、ＯＦＤＭ通信を受信するために使用され得る。いくつかの態様では、図４に示す構成要素は、以下でさらに詳細に説明するように、１つまたは複数のトレーニングフィールドを含むデータユニットを受信するために使用される。たとえば、図４に示す構成要素は、図３に関して上記で説明した構成要素によって送信されたデータユニットを受信するために使用され得る。
【００４７】
[0065]受信機４１２は、ワイヤレス信号の中の１つまたは複数のパケットまたはデータユニットを受信するように構成される。以下で説明するように受信および復号され、または別のやり方で処理され得るデータユニットが、図５〜図１４に関してさらに詳細に説明される。
【００４８】
[0066]図４に示す態様では、受信機４１２は受信増幅器４０１を含む。受信増幅器４０１は、受信機４１２によって受信されたワイヤレス信号を増幅するように構成され得る。いくつかの態様では、受信機４１２は、自動利得制御（ＡＧＣ）手順を使用して受信増幅器４０１の利得を調整するように構成される。いくつかの態様では、自動利得制御は、利得を調節するために、たとえば、受信されたショートトレーニングフィールド（ＳＴＦ）などの１つまたは複数の受信されたトレーニングフィールドの中の情報を使用する。当業者ならＡＧＣを実行するための方法を理解されよう。いくつかの態様では、増幅器４０１はＬＮＡを備える。
【００４９】
[0067]受信モジュール４００は、受信機４１２からの増幅されたワイヤレス信号をそれのデジタル表現に変換するように構成されたアナログデジタル変換器４０２を備えることができる。増幅されることに加えて、ワイヤレス信号は、デジタルアナログ変換器４０２によって変換される前に、たとえば、フィルタリングされることによって、または中間周波数もしくはベースバンド周波数にダウンコンバートされることによって、処理され得る。いくつかの態様では、アナログデジタル変換器４０２は、図２のプロセッサ２０４、トランシーバ２１４の中に、またはワイヤレスデバイス２０２の別の要素の中に実装され得る。
【００５０】
[0068]受信モジュール４００は、表現のワイヤレス信号を周波数スペクトルに変換するように構成された変換モジュール４０４をさらに備えることができる。図４において、変換モジュール４０４は、高速フーリエ変換（ＦＦＴ）モジュールによって実装されるものとして示される。いくつかの態様では、変換モジュールは、それが使用する各点に対してシンボルを識別することができる。
【００５１】
[0069]受信モジュール４００は、データユニットがそれを介して受信されるチャネルの推定値を形成し、チャネル推定値に基づいてチャネルのいくつかの影響を除去するように構成された、チャネル推定器および等化器４０５をさらに備えることができる。たとえば、チャネル推定器は、チャネルの関数を近似するように構成され得、チャネル等化器は、その関数の逆を周波数スペクトルの中のデータに適用するように構成され得る。
【００５２】
[0070]いくつかの態様では、チャネル推定器および等化器４０５は、たとえば、チャネルを推定するために、ロングトレーニングフィールド（ＬＴＦ）などの１つまたは複数の受信されたトレーニングフィールドの中の情報を使用する。チャネル推定値は、データユニットの冒頭において受信される１つまたは複数のＬＴＦに基づいて形成され得る。このチャネル推定値は、その後、１つまたは複数のＬＴＦに後続するデータシンボルを等化するために使用され得る。一定の時間期間の後、または一定数のデータシンボルの後、１つまたは複数の追加のＬＴＦが、データユニットの中で受信され得る。追加のＬＴＦを使用して、チャネル推定値が更新され得、または新しい推定値が形成され得る。この新しいまたは更新されたチャネル推定値は、追加のＬＴＦに後続するデータシンボルを等化するために使用され得る。いくつかの態様では、新しいまたは更新されたチャネル推定値は、追加のＬＴＦに先行するデータシンボルを再等化するために使用される。当業者ならチャネル推定値を形成するための方法を理解されよう。
【００５３】
[0071]受信モジュール４００は、等化されたデータを復調するように構成された復調器４０６をさらに備えることができる。たとえば、復調器４０６は、たとえば、コンスタレーションにおけるビットのシンボルへのマッピングを逆転させることによって、変換モジュール４０４ならびにチャネル推定器および等化器４０５によって出力されたシンボルから複数のビットを決定することができる。いくつかの態様では、受信モジュール４００がワイヤレスデバイス２０２の一部分として実装される場合、ビットは、プロセッサ２０４によって処理もしくは評価され得るか、またはユーザインターフェース２２２に情報を表示するか、もしくは別のやり方で出力するために使用され得る。このようにして、データおよび／または情報が復号され得る。いくつかの態様では、ビットはコードワードに対応する。一態様では、復調器４０６は、ＱＡＭ（直交振幅変調）復調器、たとえば、１６ＱＡＭ復調器または６４ＱＡＭ復調器を備える。他の態様では、復調器４０６は、２位相シフトキーイング（ＢＰＳＫ）復調器または４位相シフトキーイング（ＱＰＳＫ）復調器を備える。
【００５４】
[0072]図４において、変換モジュール４０４、チャネル推定器および等化器４０５、ならびに復調器４０６は、ＤＳＰ２２０の中に実装されるものとして示される。しかしながら、いくつかの態様では、変換モジュール４０４、チャネル推定器および等化器４０５、ならびに復調器４０６のうちの１つまたは複数は、プロセッサ２０４の中のような、ワイヤレスデバイス２０２の別の構成要素の中に実装され得る。
【００５５】
[0073]上記で説明したように、受信機４１２において受信されたワイヤレス信号は、１つまたは複数のデータユニットを備える。これらのデータユニットは、上記で説明した構成要素を使用して、復号、評価、および／または処理され得る。たとえば、プロセッサおよび／またはＤＳＰ２２０は、変換モジュール４０４と、チャネル推定器および等化器４０５と、復調器４０６とを使用して、データユニットの中のデータシンボルを復号するために使用され得る。
【００５６】
[0074]ＡＰ１０４およびＳＴＡ１０６によって交換されるデータユニットは、制御情報またはデータを含むことができる。物理（ＰＨＹ）レイヤにおいて、これらのデータユニットは、物理レイヤプロトコルデータユニット（ＰＰＤＵ）と呼ばれることがある。いくつかの態様では、ＰＰＤＵは、パケットまたは物理レイヤパケットと呼ばれることがある。各ＰＰＤＵは、プリアンブルとペイロードとを備えることができる。プリアンブルは、トレーニングフィールドとＳＩＧフィールドとを含むことができる。たとえば、トレーニングフィールドは、１つまたは複数のロングトレーニングフィールド（ＬＴＦ）と１つまたは複数のショートトレーニングフィールド（ＳＴＦ）とを含むことができる。ペイロードは、メディアアクセス制御（ＭＡＣ）ヘッダおよび／またはユーザデータを備えることができる。ペイロードは、ＢＰＳＫシンボルまたはＱＰＳＫシンボルなどの、１つまたは複数のデータシンボルを使用して送信され得る。
【００５７】
[0075]いくつかの態様では、屋外環境における伝搬の頑強さを高めることが望ましい場合がある。たとえば、屋外環境において、ずっと大きい遅延スプレッドがあり得る。このことは、たとえば、室内環境に存在し得るよりももっと遠い面の送信エコーイングオフによって引き起こされる場合がある。したがって、比較的に短い持続時間のサイクリックプレフィックス（ＣＰ）が使用されるとき、より大きいこの遅延スプレッドがシンボル間干渉（ＩＳＩ）を引き起こすことがある。たとえば、ＩＥＥＥ８０２．１１ａｃ規格では、ノーマルＣＰは０．８μｓであり、ショートガードインターバル（ＧＩ）が使用されるとき、ＣＰは０．４μｓであり得る。これらのＣＰ長は、屋外環境においてＩＳＩを伴う問題を引き起こすことがあり、そのような環境においてネットワークの性能が低下することがある。したがって、屋外環境においてより頑強な性能をもたらすために、各シンボルのＣＰを増大させることが望ましい場合がある。
【００５８】
[0076]しかしながら、各シンボルのＣＰを増大させることは、各シンボルのオーバーヘッドを増大させることがある。たとえば、ＩＥＥＥ８０２．１１ａｃシンボルは３．２μｓである。したがって、ＩＥＥＥ８０２．１１ａｃシンボルのＣＰオーバーヘッドは、０．８μｓのＣＰを有するノーマルＧＩ送信に対して２５％であり、０．４μｓのＣＰを有するショートＧＩ送信に対して１２．５％である。しかしながら、ＣＰが、たとえば、３．２μｓに増大される場合、およびシンボル長が一定に保たれる場合、ＣＰのオーバーヘッドは、１００％に増大することになる。したがって、ＣＰを増大させるとき、シンボル長を増大させることも望ましい場合がある。たとえば、シンボル長は、ＩＥＥＥ８０２．１１ａｃパケットでの４または８倍の長さに、すなわち、１２．８または２５．６μｓに増大され得る。シンボル長を増大させることにより、ＣＰオーバーヘッドを小さく保ちながら、より長いＣＰが使用され得る。しかしながら、より長いシンボルおよびより長いＣＰは、パケットのプリアンブルの長さの増大をもたらすことがある。たとえば、ＬＴＦは、チャネル推定のために使用され得、ＣＰ長およびシンボル長がそれぞれ、４または８倍に増大されたとき、各ＬＴＦはまた、それに応じて、送信するために４または８倍長くかかることがある。いくつかの態様では、増大されたＣＰ長およびシンボル長を有するパケット用のＬＴＦを送信するために使用される時間の量を減少させ、したがって、そのようなパケットのＬＴＦオーバーヘッドを減少させることが望ましい場合がある。一般に、ＣＰ長がデータシンボル持続時間の２５%以下となる比を維持することが望ましい場合があり、そのため、ＣＰオーバーヘッドは２５%以下であるべきと言われることがある。
【００５９】
[0077]一般に、パケットを送信するために単一の時空間ストリームが使用されるとき、単一のＬＴＦが使用され得る。そのようなパケットのための最も初歩的な手法は、通常のＩＥＥＥ８０２．１１ａｃの３．２μｓシンボルよりもＮ倍長いシンボルを使用するとき、同様に、通常のＩＥＥＥ８０２．１１ａｃのＬＴＦよりもＮ倍長いＬＴＦを送信することであることになる。しかしながら、いくつかの方法が、そのようなＬＴＦの長さを低減するために使用され得、そのようなパケット上でＬＴＦによって引き起こされるオーバーヘッドを低減することができる。
【００６０】
[0078]いくつかの態様では、ＬＴＦは、パケットのデータ部分の中で使用されるものと異なるシンボル持続時間を使用することができる。たとえば、パケットの中のデータシンボルは、ＩＥＥＥ８０２．１１ａｃパケットの中のデータシンボルよりもＮ倍長くてよく、パケットの中のＬＴＦシンボルは、ＩＥＥＥ８０２．１１ａｃパケットの中のデータシンボルよりもＭ倍長くてよく、ただし、ＭはＮよりも小さい。たとえば、所与のパケットの中のデータシンボルが４倍長い、すなわち１２．８μｓであり、ＬＴＦがＩＥＥＥ８０２．１１ａｃパケットにおけるものと同じ長さ、または２倍だけの長さである、すなわち、３．２または６．４μｓであるシンボルを使用することができる場合。ＬＴＦの間により短いシンボルを使用することによって、ＬＴＦの持続時間は、それに応じて低減され得る。
【００６１】
[0079]各シンボルがより長い持続時間であってよいので、各シンボルは、より多くのデータトーンを含むことができる。たとえば、ＩＥＥＥ８０２．１１ａｃデータシンボルよりも４倍長いシンボルは、同じ帯域幅内に４倍多くのデータトーンを含むことができる。したがって、ＩＥＥＥ８０２．１１ａｃにおいて、２０ＭＨｚ帯域幅が６４トーンを搬送することができるが、各シンボルが４倍長い場合、同じ帯域幅は２５６トーンを搬送することができる。したがって、ＬＴＦ用のシンボル長がデータシンボル用のシンボル長よりも短いとき、受信デバイスは、パケットのデータセクションの中のデータを復号するために補間を必要とすることがある。さらに、チャネル遅延スプレッドに起因するＩＳＩがＬＴＦの中のシンボル持続時間に伴う問題でない場合のみ、ＬＴＦの中のシンボル持続時間を低減することは効果的であり得る。
【００６２】
[0080]パケットのデータ部分の中よりもＬＴＦの中でより短いシンボルを使用するときにＩＳＩが問題をはらむ場合、ＬＴＦの中のＣＰが増大されてよい。たとえば、ＬＴＦは、２５％よりも大きいＣＰオーバーヘッドを有してもよいが、そのようなオーバーヘッドをパケットのデータ部分の中で２５％以下に保つことが望ましい場合がある。ＬＴＦの中のＣＰ長をＩＥＥＥ８０２．１１ａｃパケットの中のＣＰ長から増大させることは、依然としてパケットのデータ部分などのパケットの他の部分よりも短いシンボル持続時間をＬＴＦが使用することを可能にしながら、そのようなＬＴＦが屋外伝搬環境においてより頑強な性能を示すことを可能にすることができる。したがって、たとえＬＴＦの中に増大されたＣＰオーバーヘッドを伴っても、ＬＴＦオーバーヘッド（パケットの全長と比較したＬＴＦ長）がやはり低減され得る。いくつかの態様では、２つのＬＴＦシンボルのＣＰは互いに組み合わされて倍長のＣＰにすることができ、ＣＰによって互いに分離されない２つのＬＴＦシンボルによって後続される。
【００６３】
[0081]概して、複数の時空間ストリームを使用して送信されるパケットでは、パケットの中のＬＴＦの数（ＮLTFまたはＮTF）は、パケットの中の時空間ストリーム（ＮSTS）の数に相当する。たとえば、ＬＴＦの数はストリームの数と同じであってよく、または時空間ストリームの数からの１対１マッピングであってよい。すなわち、５個などの、いくつかの知られている数の時空間ストリームがある場合、５個などの、パケットの中のＬＴＦの知られている数がある。そのようなパケットでは、ＣＰおよびシンボルの長さが８倍に増大されるなど増大される場合、ＬＴＦの長さも上記のように８倍に増大され得る。各送信とともに送信されなければならない追加のＬＴＦによって引き起こされるこのＬＴＦオーバーヘッドを低減するために、いくつかの異なる手法が使用され得る。
【００６４】
[0082]たとえば、ＮLTF個のＬＴＦの各々は、ＩＥＥＥ８０２．１１ａｃパケットの持続時間と比較してＭ倍のシンボル持続時間において送信され得るが、パケットのデータ部分は、Ｎ倍のシンボル持続時間において送信され得、ただしＮ＞Ｍである。このことは、単一の時空間ストリームパケットを参照しながら上記で説明したことと同様の方法で、各ＬＴＦの長さを低減することができる。同様に、単一の時空間ストリームパケットを伴うとき、ＣＰサイズは、ＩＳＩを回避するために必要に応じて、ＬＴＦシンボル持続時間のサイズに比べて増大され得る。たとえば、ＬＴＦシンボル持続時間は、ＩＥＥＥ８０２．１１ａｃパケットの中で見られるもの（３．２μｓ）と同じであってよく、ＬＴＦの中のＣＰ持続時間は、ＩＥＥＥ８０２．１１ａｃパケットのＣＰ持続時間の４倍、すなわち、同様に３．２μｓであってよい。ＣＰの持続時間をＬＴＦシンボルの持続時間に比べて増大させることはＬＴＦのＣＰオーバーヘッドを増大させるが、パケットのデータ部分の中で見られるシンボルの持続時間に比べてより短い持続時間を伴うＬＴＦシンボルを有することによって、ＬＴＦセクションの全体的な持続時間は依然として減少され得る。したがって、この概念を使用すると、ＬＴＦの数は同数の時空間ストリームを有するＩＥＥＥ８０２．１１ａｃパケットの中と同じままであり得るが、各個々のＬＴＦの持続時間は、パケットのデータ部分の中に見られるよりも小さい、ＬＴＦの中のシンボルサイズのために低減され得る。このことは、パケットのＬＴＦとデータ部分の両方の中で同じシンボルサイズを含む、通常のＩＥＥＥ８０２．１１ａｃパケットとは異なる。
【００６５】
[0083]各個々のＬＴＦの持続時間を減少させるのではなく、低減された数のＬＴＦを送信することはまた、パケットのＬＴＦ部分の全持続時間を低減し得る。ＩＥＥＥ８０２．１１ａｃパケットでは、パケットの中で送信されるＬＴＦの数（ＮLTF）は、そのパケットの中の時空間ストリームの数（ＮSTS）に基づく。たとえば、ＩＥＥＥ８０２．１１ａｃパケットにおけるＮLTFとＮSTSとの間の対応は、以下の表によって与えられる。
【００６６】
【表１】
0006498700.tif 000002
【００６７】
[0084]しかしながら、いくつかの態様では、所与のパケットのＬＴＦ部分の持続時間を低減するために、これよりも少ないＬＴＦを送信することが可能であり得、その場合、そのパケットは、ＩＥＥＥ８０２．１１ａｃパケットと比較して増大されたシンボル持続時間を有する。いくつかの態様では、より少ないＬＴＦを送信することは、パケットのデータ部分の中よりも短い持続時間シンボルをＬＴＦの中で使用することと一緒に行われ得るか、またはそのこととは別個であり得る。ＩＥＥＥ８０２．１１ａｃパケットに含まれるＬＴＦの数よりも少ないＬＴＦを所与のパケットの中で送信するために、様々な方法が使用され得る。使用される方法は、所与のパケットにおいて使用されるＬＴＦフォーマットに少なくとも部分的に依存することがある。
【００６８】
[0085]たとえば、ＬＴＦフォーマットの１つのタイプは、トーンインターリーブされたＬＴＦフォーマットであってよい。図５は、トーンインターリーブされたＬＴＦフォーマットの図である。この図において、上記の表１の通り、４つの時空間ストリームが使用され、４つのＬＴＦが使用される。図示したように、第１のＬＴＦ、すなわち、ＬＴＦ１  ５０５において、時空間ストリーム１が、第１のトーンで、第５のトーンで、以下同様に送信する。次のＬＴＦ、すなわち、ＬＴＦ２  ５１０において、時空間ストリーム１が、第２のトーンで、第６のトーンで、以下同様に送信する。他の時空間ストリームの各々が同様の方法で動作し、所与のＬＴＦにおいて４つのトーンごとに送信し、それがどのトーンを送信するのかを後続のＬＴＦにおいて回転する。したがって、そのようなトーンインターリーブされたＬＴＦ構造を使用することは、４つの時空間ストリームの各々がＬＴＦのうちの１つの間にパケットのトーンの各々で少なくとも１回送信することを可能にする。
【００６９】
[0086]トーンインターリーブされたＬＴＦを使用するときにパケットのＬＴＦ部分の全持続時間を低減するために、より少ないＬＴＦが送信され得る。上記のように、また図５に示すように、各時空間ストリームは、通常、ＬＴＦのうちの１つにおいて、各トーンで少なくとも１回送信することができる。しかしながら、低減された数のＬＴＦを用いると、このことはもはや当てはまらない場合がある。たとえば、図５において、送信されるＬＴＦの数は２つのＬＴＦ（ＩＥＥＥ８０２．１１ａｃパケットの中に見られるＬＴＦの数の半分を送信する）、または１つのＬＴＦ（ＩＥＥＥ８０２．１１ａｃパケットの中に見られるＬＴＦの数の１／４だけを送信する）に低減され得る。
【００７０】
[0087]たとえば、ＬＴＦの数の半分が送信されるべき場合、たとえば、ＬＴＦ１  ５０５およびＬＴＦ３  ５１５だけを送信することは意味をなし得る。これらの２つのＬＴＦだけを送信することは、たとえば、時空間ストリーム１および３が各奇数番号のトーンを送信することを可能にし、時空間ストリーム２および４が各偶数番号のトーンを送信することを可能にすることになる。したがって、パケットを受信しチャネル推定のためにＬＴＦを使用するデバイスは、時空間ストリーム１がそこで送信される１、３、５などのどのトーンにおいて、チャネルを識別できることになる。この情報に基づいて、受信デバイスは、時空間ストリーム１がそこで送信されるどの偶数番号のトーンの上で、チャネルを補間するように構成され得る。したがって、ＬＴＦの数の半分を送信することは、受信デバイスがいくつかの時空間ストリームからのいくつかの他のトーンのチャネルを補間することを必要とし得る。しかしながら、この補間は、増大されたエラーレートを引き起こすことなく可能であり得、したがって、送信されるＬＴＦの数の低減、および送信されるＬＴＦの持続時間の低減は、より多くのデータがネットワーク上で所与の時間期間の中で首尾よく送信されることを依然として可能にすることができる。図５に示す４つのうちの２つのＬＴＦを送信するとき、デバイスがトーンを補間するために、両方の隣接トーンが送信されるときがより容易であり得ることに留意されたい。したがって、各ストリームが、たとえば、このことが当てはまらないことになるＬＴＦ１  ５０５とＬＴＦ２  ５１０とを送信するのではなく、２つのトーンごとに送信するように、たとえば、ＬＴＦ１  ５０５とＬＴＦ３  ５１５とを送信することが有益であり得る。
【００７１】
[0088]図５において送信されるＬＴＦの数がＬＴＦの１／４に低減された場合、４つのＬＴＦ５０５、５１０、５１５、５２０のいずれかが送信され得る。どのＬＴＦが送信されるのかにかかわらず、デバイスは、所与の時空間ストリームを介して受信する１つのトーンごとに３つのトーンを補間する必要があり得る。しかしながら、いくつかの環境において、このことは、それほど多くのエラーを引き起こすことなく可能であり得、したがって、より多くの情報をワイヤレス媒体を介して所与の時間期間において送信することにとって有用であり得る。
【００７２】
[0089]トーンインターリーブされたＬＴＦ設計が、４つの時空間ストリームの各々がトーンの各々で送信することを可能にすることに留意されたい。しかしながら、このことはまた、たとえば、時空間ストリーム１にＬＴＦ１  ５０５におけるすべてのトーンを介して送信させること、時空間ストリーム２にＬＴＦ２  ５１０におけるすべてのトーンを介して送信させることなどによる、単純な方式で達成され得る。しかしながら、そのようなＬＴＦ設計にまさるトーンインターリーブされたＬＴＦの１つの利点が、時空間ストリームの各々が異なるアンテナによって所与の電力レベルで送信され得ることを考慮すると明らかであり得る。ＬＴＦ１を送信するために単一のアンテナ（時空間ストリーム）が使用される場合、このＬＴＦは、４つのアンテナ（４つの時空間ストリーム）を使用して送信されるＬＴＦのような電力の１／４で送信され得る。したがって、トーンインターリーブされたＬＴＦは、単一の時空間ストリームだけが各ＬＴＦで使用されるＬＴＦ設計と比較して、ＬＴＦの各々においてより大きい送信電力を可能にすることができる。増大された送信電力のこれらの利点はまた、低減された数のトーンインターリーブされたＬＴＦを送信するときでさえ実現され得る。いくつかの態様では、送信されるＬＴＦの数を低減するために他の割合も使用され得る。たとえば、各時空間ストリームが２つのトーンごと、３つのトーンごと、５つのトーンごと、３つのトーンのうちの２つなどで送信することを可能にする、いくつかのＬＴＦが送信され得る。各事例において、受信デバイスは、所与の時空間ストリームがそこで送信しなかったトーンを補間するための補間を使用することができる。
【００７３】
[0090]ＬＴＦはまた、トーンインターリーブされたＬＴＦを使用するのではなく、他の方式で生成され得る。たとえば、ＬＴＦを生成するために、周波数領域Ｐ行列６０５が使用され得る。図６は、ＬＴＦを生成するために周波数領域Ｐ行列として使用され得る行列の図６００である。そのようなシステムでは、トーン１および２などの隣接トーンのペアは、２ストリーム直交マッピングを有することができる。たとえば、含まれる行列６０５が、２つの時空間ストリームが２つのトーンで同時に送信するときに使用され得る。たとえば、２つのトーンの各ペアは、図示したマッピングのような周波数における直交マッピングを有することができる。
【００７４】
[0091]図７は、図６００の周波数領域マッピングの７００時間領域相対物を示す。この図は、１２．８μｓのシンボル持続時間および３．２μｓのＣＰを有する時間領域相対物を示す。このシンボル持続時間およびＣＰ持続時間は、ＩＥＥＥ８０２．１１ａｃパケットにおいて使用される通常の持続時間の４倍に相当する。したがって、図７００において、最初の３．２μｓがサイクリックプレフィックス７０５に相当する。行列６０５において、信号が１によって乗算されるとき、このことは信号をまったくシフトさせない。信号が−１によって乗算されるとき、このことは信号をπラジアンだけシフトさせ、シンボル持続時間が１２．８μｓであるとき、それは６．４μｓのシフトに相当する。
【００７５】
[0092]したがって、行列６０５の第１の列に対応する第１のストリーム７１０、および行列６０５の第２の列に対応する第２のストリーム７１５は、行列６０５の第１および第２の行に対応する２つの異なるトーンで、ＬＴＦの間に同時に送信することができる。たとえば、第１のトーンにおいて、第１のストリーム７１０と第２のストリーム７１５の両方は、両方とも１によって乗算されるのでシフトされない。図７は、第２のトーンに対する時間領域相対物の図であり、第２のストリーム７１５が６．４μｓだけシフトされている。たとえば、時空間ストリームが１つのＬＴＦの間に所与のトーンで送信することができる通常値が図７に示され、ストリーム１は、サイクリックプレフィックス７０５の直後の３．２μｓにおいて、それの送信を開始することができる。しかしながら、第２のストリーム７１５が６．４μｓだけシフトされているので、第２のストリームからの送信は、図示したように、第１のストリーム７１０からの同じ送信と６．４μｓ位相外れである。
【００７６】
[0093]受信デバイスは、第１のトーンおよび第２のトーンでの送信をそのように受信することができる。これらの送信は両方とも、第１の時空間ストリームと第２の時空間ストリームの両方からの情報を含むことができる。受信デバイスは、行列６０５の直交性に起因して、送信のどの部分が各時空間ストリームに帰すことができるのかを決定することができる場合がある。したがって、受信デバイスがトーンの各々への各ストリームの寄与を決定することを可能にするために、その行列が直交である限り行列６０５の代わりに他の直交行列が使用され得る。ＬＴＦにおいてそのような直交行列を使用することによって、第１のストリーム７１０と第２のストリーム７１５の両方が第１のトーンと第２のトーンの両方で送信することを、単一のＬＴＦが可能にし得ることが観察されるはずである。そして、行列６１５の直交性に起因して、受信デバイスは、２つのストリーム７１０、７１５の各々からの、２つのトーンの各々での送信を分離することができる場合がある。したがって、単一のＬＴＦは、２つの異なる時空間ストリームが同じトーンで送信することを可能にすることであり得る。このことは、所与のパケットの中で必要とされるＬＴＦの数を１／２に低減することができる。同様に、より多くのトーンでより多くのストリームを使用して送信するために、より大きい直交行列が使用され得る。たとえば、３つのストリームがそれら３つのトーンにわたって同時に送信することを可能にするために、３つのトーンにわたる３×３直交行列が使用され得る。したがって、このことは、必要とされるＬＴＦの数が１／３に低減されることを可能にすることになる。
【００７７】
[0094]図８は、図６および図７のような直交行列方式を使用してＬＴＦを送信するときに使用され得るインターリービングの図である。たとえば、グループ１は、ストリーム１および２などの２つの異なる時空間ストリームを含むことができる。同様に、グループ２、３、および４の各々も、２つの固有のストリームを含むことができる。したがって、８つの時空間ストリームの各々は、４つのグループに含まれ得る。同様に、グループ１は２つのトーンなどのいくつかの数のトーンで送信することができ、グループ２は次の２つのトーンで送信することができ、グループ３は次の２つのトーンで、以下同様である。各後続のＬＴＦにおいて、ストリームの各グループがそこで続けて送信するトーンは、４つのＬＴＦ８０５、８１０、８１５、８２０の後、８つの時空間ストリームの各々が所与の送信の各トーンで送信したように回転することができる。このインターリービングは、図５に見られるトーンインターリービングと類似であってよいが、各トーンが単一のストリームに割り当てられるのではなく、各トーンが単一のＬＴＦにおけるストリームのグループに割り当てられる。
【００７８】
[0095]前にトーンインターリーブされたＬＴＦと同じく、そのようなインターリービングの１つの利点は、各時空間ストリームが４つのＬＴＦ８０５、８１０、８１５、８２０の各々の間に送信することを可能にすることである。したがって、各ＬＴＦは、互いに同じ電力を使用して送信され得、パケットのデータ部分と同じ電力を使用して送信され得る。対照的に、グループ１がＬＴＦ１  ８０５のすべてのトーンで送信しており、ＬＴＦ２  ８１０においてグループ２にとって同様である場合、このことは、互いに異なるレベルの電力を有するＬＴＦをもたらし得る。したがって、グループに基づくそのようなインターリービングは有益であり得る。
【００７９】
[0096]この行列ベースのＬＴＦの別の利点は、各時空間ストリームが、ＬＴＦの間、パケットの各トーンで送信することができる場合があることである。前に説明したトーンインターリービングとは異なり、ここでは、各時空間ストリームは、少なくとも１つのＬＴＦの間、パケットの各トーンで送信する。したがって、この手法は、そのようなトーンインターリーブされたＬＴＦにとって必要とされたような補間を必要としなくてよい。しかしながら、この手法は、各グループに含まれる２つのストリームからの各トーンへの寄与を区別するために、各受信機によるいくらか多くの処理を必要とすることがある。したがって、上記で説明した様々な手法の各々にとって利点があり得る。さらに、上記で説明した手法は、必要に応じて様々な方法で組み合わされてよい。たとえば、所与のパケットのデータ部分において使用されるものと異なるシンボル持続時間を使用する、低減された数の直交行列ベースのＬＴＦを使用することが可能な場合がある。屋外環境において頑強な性能を可能にするために必要に応じて、上記の手法のいずれかに対してＣＰ持続時間を変えることなどの、他の組合せも同様に使用されてよい。
【００８０】
[0097]ＩＥＥＥ８０２．１１ａｃには、より短い持続時間のサイクリックプレフィックスが使用されるショートガードインターバル（ＧＩ）モードがある。ショートＧＩモードにある間、０．８μｓのＣＰを使用するのではなく、０．４μｓのＣＰが使用される。同様に、屋外環境において改善された伝搬とやはり互換性のある、より短いＧＩモードも提供され得る。たとえば、特定のパケットが、通常、３．２μｓのＣＰを有する場合、ＣＰが１．６μｓだけのショートＧＩモードが使用され得る。いくつかの態様では、特定のパケットのＬＴＦ設計は、ＣＰ構成、すなわち、ショートＧＩモードが使用されるか否かに基づいて異なり得る。たとえば、パケットが、通常、１２．８μｓのシンボル持続時間を有する場合、提供される２つのモード−  ＣＰが３．２μｓであるモード、およびＣＰが１．６μｓであるモードがあり得る。これらの２つのモードのうちのどちらが使用されるのかに基づいて、パケットのＬＴＦ部分は異なり得る。たとえば、３．２μｓのＣＰが使用されるとき、パケットのＬＴＦ部分の中のシンボルは、たとえば、６．４μｓまたは１２．８μｓであり得、１．６μｓのＣＰが使用されるとき、ＬＴＦセクションの中のシンボルは、３．２μｓまたは６．４μｓであり得る。
【００８１】
[0098]代替として、１つを越える時空間ストリームが存在する場合、およびＣＰが１．６μｓまたは３．２μｓ（ＩＥＥＥ８０２．１１ａｃにおけるような１２．５％または２５％のＣＰオーバーヘッドに対応する）のいずれかであり得ながら、シンボルが持続時間において１２．８μｓである場合、グループサイズは選ばれたＣＰに基づいて変えられ得る。たとえば、３．２μｓのＣＰが使用される場合、グループサイズは１であってよく、または２であってよい（図６に示すように）。しかしながら、１．６μｓが使用される場合、グループサイズは２または４であってよい。したがって、特定のパケットが比較的短いまたは比較的長いガードインターバルを使用して送信されているか否かに少なくとも部分的に基づいて、ＬＴＦフォーマットは変わり得る。
【００８２】
[0099]図９は、パケットを送信するための方法の図９００である。この方法は、たとえば、ワイヤレス通信システム１００のＡＰ１０４または別のＳＴＡ１０６のいずれかを含む、ワイヤレス通信ネットワークを介したステーション（たとえば、ＳＴＡ１０６ｂ）などのワイヤレス通信デバイスによって行われ得る。
【００８３】
[0100]ブロック９０５において、ワイヤレス通信デバイスは、１つまたは複数の時空間ストリームを介してパケットのプリアンブルを送信し、プリアンブルは、チャネル推定のために使用されるように構成された１つまたは複数のトレーニングフィールドを含み、１つまたは複数のトレーニングフィールドは各々、第１のシンボル持続時間の１つまたは複数のシンボルを備える。たとえば、上記で説明したように、ＬＴＦなどの、チャネル推定のために使用されるトレーニングフィールドのシンボル持続時間は、３．２μｓまたは６．４μｓの持続時間であり得る。プリアンブルを送信するための手段は、送信機を含むことができ、送信を生成するための手段は、プロセッサまたは他のデバイスを含むことができる。
【００８４】
[0101]ブロック９１０において、ワイヤレス通信デバイスは、１つまたは複数の時空間ストリームを介してパケットのペイロードを送信し、ペイロードは、第２のシンボル持続時間の１つまたは複数のシンボルを備え、ここで、第２のシンボル持続時間は第１のシンボル持続時間よりも長い。したがって、パケットのペイロード、およびＬＴＦなどのパケットのトレーニングフィールドに対して、異なるシンボル持続時間が使用され得る。たとえば、パケットのペイロードにおけるシンボル持続時間は６．４、１２．８、または２５．６μｓであってよく、トレーニングフィールドにおけるシンボル持続時間はこれよりも短くてよい。ペイロードを送信するための手段は、送信機を含むことができ、送信を生成するための手段は、プロセッサまたは他のデバイスを含むことができる。いくつかの態様では、第１のシンボル持続時間が３．２μｓであってよく、第２のシンボル持続時間が６．４μｓであってよい。他の態様では、第１のシンボル持続時間が６．４μｓであってよく、第２のシンボル持続時間が１２．８μｓであってよい。代替として、第２のシンボル持続時間が２５．６μｓであってよい。
【００８５】
[0102]一態様では、第１のシンボル持続時間の１つまたは複数のシンボルは、第３の持続時間のサイクリックプレフィックスによって先行されてよく、第２のシンボル持続時間の１つまたは複数のシンボルは、第４の持続時間のサイクリックプレフィックスによって先行され、第２の持続時間のサイクリックプレフィックスは、第１の持続時間のサイクリックプレフィックスよりも長くてよい。いくつかの態様では、第３の持続時間が０．８μｓであってよく、第４の持続時間が３．２μｓであってよい。他の態様では、第３の持続時間が０．４μｓであってよく、第４の持続時間が１．６μｓであってよい。様々な態様では、第２のシンボル持続時間の１つまたは複数のシンボルは各々、第３の持続時間のサイクリックプレフィックスによって互いに分離されてよく、第１のシンボル持続時間は、第３の持続時間に少なくとも部分的に基づいて決定され得る。
【００８６】
[0103]図１０は、パケットを送信するための方法の図１０００である。この方法は、たとえば、ワイヤレス通信システム１００の中のＡＰ１０４または別のＳＴＡ１０６のいずれかを含む、ワイヤレス通信ネットワーク上のステーション（たとえば、ＳＴＡ１０６ｂ）などのワイヤレス通信デバイスによって行われ得る。
【００８７】
[0104]ブロック１００５において、ワイヤレス通信デバイスは、複数のトーンにわたるＮSTS個の時空間ストリームを介してパケットのプリアンブルを送信し、プリアンブルは、複数の時空間ストリームの各々に対するチャネル推定のために使用されるように構成されたＮLTF個のトレーニングフィールドを含み、ただし、ＮSTSは１よりも大きく、ＮLTFはＮSTSよりも小さい。上記のように、前のフォーマットでは、チャネル推定のために使用されるいくつかのトレーニングフィールドは、時空間ストリームの数よりも大きいレベルに保たれていてよい。したがって、時空間ストリームの数よりも少ないトレーニングフィールドを送信することによって、パケットのオーバーヘッドが低減され得る。いくつかの態様では、上記で説明したトーンインターリービング、または上記で説明したような単一のトレーニングフィールドの中の異なる時空間ストリームの行列ベースのグルーピングのいずれかに起因して、より少数のトレーニングフィールドが送信されてよい。いくつかの態様では、プリアンブルを送信するための手段は、送信機を含むことができ、プリアンブルを生成するための手段は、プロセッサを含むことができる。
【００８８】
[0105]ブロック１０１０において、ワイヤレス通信デバイスは、ＮSTS個の時空間ストリームを介してパケットのペイロードを送信する。いくつかの態様では、このパケットを生成するための手段は、プロセッサを含むことができ、パケットを送信するための手段は、送信機を含むことができる。
【００８９】
[0106]いくつかの態様では、複数の時空間ストリームのうちの時空間ストリームの各々が、複数のトーンのサブセットで送信するように、および複数のトーンのうちの各トーンが、複数の時空間ストリームのうちの厳密に１つによって続けて送信されるように、ＮTF個のトレーニングフィールドの各々は、複数のトーンを介して送信されるトーンインターリーブされたトレーニングフィールドであってよい。いくつかの態様では、ＮTF個のトレーニングフィールドの各々は、複数のトーンを介して送信されてよく、複数の時空間ストリームの各々は、複数のグループのうちのグループの一部であってよく、各グループは、直交行列に基づいて、複数のトーンのうちのトーンのサブセットへ送信する。複数のグループのうちの各グループは、複数の時空間ストリームのうちの２つの時空間ストリームを含んでよい。複数のグループのうちの各グループは、複数の時空間ストリームのうちの４つの時空間ストリームを含んでよい。ＮTFの値は、ＮSTSの値の約半分であってよく、またはＮSTSの値の約１／４であってよい。プリアンブルとペイロードの両方が、少なくとも１２．８μｓのシンボル持続時間を用いて送信されてよい。プリアンブルとペイロードの両方が、少なくとも１．６μｓのサイクリックプレフィックスを用いて送信されてよい。
【００９０】
[0107]たとえば、図６に関して上記で説明したように、ＬＴＦは周波数領域Ｐ行列に従って生成されてよい。いくつかのＰ行列適用では、すべてのストリームが各トーンにおいてアクティブである。本明細書で説明する様々な実施形態では、ＮSTS個の空間ストリームは、Ｎg個のグループに再分割されてよく、ここで、各グループはＮSTS／Ｎg個のストリームを含むことができる。各トーンは、より小さい直交Ｐ行列を使用するＮSTS／Ｎg個の空間ストリームを投入され得る。したがって、各空間ストリームはＮg個のトーンごとに現われる（visit）、現われないトーンでのチャネル推定値を取得するためにチャネル補間が使用され得る。したがって、ＮSTS個の空間ストリームのサブセットだけが、各トーンにおいてアクティブである。有利なことに、ストリームのサブセットを直交させ、それによって、ＬＴＦオーバーヘッドを低減するために、より少数のＬＴＦシンボルが使用され得る。
【００９１】
[0108]図１１Ａは、ＬＴＦを生成するために周波数領域Ｐ行列として使用され得る行列１１００Ａの図である。図示した行列１１００Ａは、ｙ軸上に４つの空間ストリームと、ｘ軸上に時間領域における４つのＬＴＦ時間シンボルとを含む。当業者によって諒解されるように、ｘ軸上での時間領域におけるＬＴＦは、周波数領域におけるトーンに変換され得る。Ｐ行列システムでは、各トーンは、直交マッピングの使用によってＮSTS個のすべての空間ストリームを搬送する。たとえば、図示した行列１１００Ａは、４つの時空間ストリームが各トーンで同時に送信するときに使用され得る。各トーンは、図１１Ａに示すような周波数における直交マッピングを有し得る。各ＬＴＦは、４つの空間ストリームｘ１、ｘ２、ｘ３、およびｘ４の各々に行列１１００Ａにおけるそれぞれの列を乗算することによって決定され得る。
【００９２】
[0109]図１１Ｂは、図１１Ａの行列１１００Ａを使用して生成されるＬＴＦ信号を示す表１１００Ｂである。上記で説明したように、４つの空間ストリームｘ１、ｘ２、ｘ３、およびｘ４の各々は、行列１１００Ａにおけるそれぞれの列で乗算され得る。したがって、たとえば、ＬＴＦ１は、強調された列１１１０Ａに示すように、ｘ１＊１＋ｘ２＊１＋ｘ３＊１＋ｘ４＊−１を含むことができる。ＬＴＦ２はｘ１＊−１＋ｘ２＊１＋ｘ３＊１＋ｘ４＊１を含むことができ、ＬＴＦ３はｘ１＊１＋ｘ２＊−１＋ｘ３＊１＋ｘ４＊１を含むことができ、ＬＴＦ４はｘ１＊１＋ｘ２＊１＋ｘ３＊−１＋ｘ４＊１を含むことができ、以下同様である。したがって、各周波数トーンは、すべてのＮSTS個の空間ストリームの組合せを含み、すべての４個のＬＴＦがチャネル推定のために使用される。
【００９３】
[0110]他の実施形態では、チャネル推定のために使用されるＬＴＦの数を低減するために、トーングルーピングが使用され得る。たとえば、ＮSTS個の空間ストリームが、Ｎg個のグループに再分割されてよく、ここで、各グループはＮSTS／Ｎg個のストリームを有する。したがって、ＮSTS／Ｎg個のＬＴＦが、図１２Ａ〜図１２Ｃに示すような、より小さいＰ行列とともに使用され得る。
【００９４】
[0111]図１２Ａは、トーングルーピング実施形態に従ってＬＴＦを生成するために周波数領域Ｐ行列として使用され得る行列１２００Ａの図である。図示した行列１２００Ａは、ｙ軸上に２つの空間ストリームグループと、ｘ軸上に時間領域における２つのＬＴＦ時間シンボルとを含む。当業者によって諒解されるように、ｘ軸上での時間領域におけるＬＴＦは、周波数領域におけるトーンに変換され得る。Ｐ行列１２００Ａは、直交マッピングを含む。各ＬＴＦは、２つの空間ストリームトーングループの各々に行列１２００Ａにおけるそれぞれの値を乗算することによって決定され得る。行列１２００Ａは、代替として、図１２Ｂに示すように、サイズがＮSTSにＮSTS／Ｎgの、トーンに依存する２つの条件付きＰ行列として記載され得る。
【００９５】
[0112]図１２Ｂは、トーングルーピング実施形態に従ってＬＴＦを生成するために周波数領域Ｐ行列として使用され得るトーン依存行列１２００Ｂおよび１２０５Ｂの図である。図示した奇数トーン行列１２００Ｂは、ｙ軸上に４つの空間ストリームと、ｘ軸上に時間領域における２つのＬＴＦ時間シンボルとを含む。当業者によって諒解されるように、ｘ軸上での時間領域におけるＬＴＦは、周波数領域におけるトーンに変換され得る。Ｐ行列１２００Ｂは、直交マッピングを含む。奇数トーンの場合、各ＬＴＦは、４つの空間ストリームの各々に行列１２００Ｂにおけるそれぞれの値を乗算することによって決定され得る。
【００９６】
[0113]同様に、図示した偶数トーン行列１２０５Ｂは、ｙ軸上に４つの空間ストリームと、ｘ軸上に時間領域における２つのＬＴＦ時間シンボルとを含む。当業者によって諒解されるように、ｘ軸上での時間領域におけるＬＴＦは、周波数領域におけるトーンに変換され得る。Ｐ行列１２０５Ｂは、直交マッピングを含む。偶数トーンの場合、各ＬＴＦは、４つの空間ストリームの各々に行列１２０５Ｂにおけるそれぞれの値を乗算することによって決定され得る。行列１２００Ｂおよび１２０５Ｂはトーン依存であるので、それらは図１２Ａのトーングループ行列１２００Ａと等価である。
【００９７】
[0114]図１２Ｃは、図１２Ａ〜図１２Ｂの行列１２００Ａ、１２００Ｂ、および／または１２０５Ｂを使用して生成されるＬＴＦ信号を示す表１２００Ｃである。上記で説明したように、４つの空間ストリームｘ１、ｘ２、ｘ３、およびｘ４の各々は、それらのトーングルーピングに従って、行列１２００Ａ、１２００Ｂ、および／または１２０５Ｂにおけるそれぞれの値で乗算され得る。したがって、たとえば、ＬＴＦ１の中の奇数トーンは、ｘ１＊１＋ｘ２＊１＋ｘ３＊０＋ｘ４＊０を含むことができる。ＬＴＦ２の中の奇数トーンは、強調された列１２１０Ａに示すように、ｘ１＊−１＋ｘ２＊１＋ｘ３＊０＋ｘ４＊０を含むことができる。ＬＴＦ１の中の偶数トーンは、ｘ１＊０＋ｘ２＊０＋ｘ３＊１＋ｘ４＊１を含むことができる。ＬＴＦ２の中の偶数トーンは、強調された列１２１０Ｂに示すように、ｘ１＊０＋ｘ２＊０＋ｘ３＊−１＋ｘ４＊１を含むことができ、以下同様である。したがって、各周波数トーンは、ＮSTS個の空間ストリームのサブセットだけを含み、２つのＬＴＦだけがチャネル推定のために使用される。
【００９８】
[0115]言い換えれば、周波数トーンは、すべての空間ストリームを含むことはない。図示の実施形態では、すべての奇数トーンは、ストリームｘ１およびｘ２を投入されている。すべての偶数トーンは、ストリームｘ３およびｘ４を投入されている。したがって、所与のＬＴＦシンボルにおいて、各トーンは、より小さいＰ行列１２００Ａ、すなわち、Ｐ（ＮSTS／Ｎg）×（ＮSTS／Ｎg）の列によってマスキングされる。所与の空間ストリームがいかなる所与のトーンにも含まれない場合があるので、除外された任意のトーンを推定するために、隣接トーンでの補間が使用され得る。
【００９９】
[0116]図１２Ａ〜図１２Ｃの行列および表は、４つの空間ストリーム（ＮSTS＝４）、２つの空間ストリームグループ（Ｎg＝２）、および８つのトーンを伴う一実施形態を示すが、他の組合せが可能であることを当業者なら諒解されよう。たとえば、様々な他の組合せが図１３Ａ〜図１３Ｃに示される。
【０１００】
[0117]図１３Ａは、一実施形態によるＬＴＦ空間ストリームトーンマッピングを示す表１３００Ａである。図示の実施形態では、空間ストリームの数（ＮSTS＝４）は、空間ストリームグループの数（Ｎg＝４）に等しい。したがって、各グループの中に１つの空間ストリームだけがある。この場合、トーングルーピングを伴うＰ行列は、図１３Ａに示すトーンインターリーブされた方式に縮小される。
【０１０１】
[0118]図１３Ｂは、別の実施形態によるＬＴＦ空間ストリームトーンマッピングを示す表１３００Ｂである。図示の実施形態では、空間ストリームの数（ＮSTS＝３）は、空間ストリームグループの数（Ｎg＝２）の整数倍でない。したがって、各グループの中に同じ整数個の空間ストリームがないことがある。図示の実施形態では、空間ストリームは、各空間ストリームがＮg／ＮSTS個ごとのトーンを占有して、平衡方式またはラウンドロビン方式でトーンに割り当てられる。たとえば、空間ストリームｘ１は、トーン１、２、４、および５を占有する。空間ストリームｘ２は、トーン１、３、４、および６を占有する。空間ストリームｘ３は、トーン２、３、５、および６を占有し、以下同様である。したがって、図１３Ｂの図示の実施形態では、電力はすべてのトーンにわたって平衡され、各ストリームは平均して２／３のトーンに現われる。他の実施形態では、たとえば、図１３Ｃに示すように、非整数倍の空間ストリームグループが異なって処理されてよい。
【０１０２】
[0119]図１３Ｃは、別の実施形態によるＬＴＦ空間ストリームトーンマッピングを示す表１３００Ｃである。図示の実施形態では、空間ストリームの数（ＮSTS＝３）は、空間ストリームグループの数（Ｎg＝２）の整数倍でない。したがって、そこに各グループの中に同じ整数個の空間ストリームでない可能性。図示の実施形態では、空間ストリームは、重み付き方式または保護方式でトーンに割り当てられる。したがって、各空間ストリームはＮSTS個のトーンを占有するが、いくつかの空間ストリームは、他がストリームを単独で占有しながら、他のストリームとともにトーンを共有する。たとえば、空間ストリームｘ１およびｘ２は、トーン１、３、および５を一緒に占有し、空間ストリームｘ３は、トーン２、４、および６を単独で占有する。様々な実施形態では、空間ストリームｘ３は、ストリーム保護に基づいてトーンを単独で占有するように割り当てられ得る（たとえば、ストリームｘ３は、ストリームｘ１および／またはｘ２よりも高位のＭＣＳを有し得る）。したがって、空間ストリームｘ３は、より望ましいＣＦＯおよびタイミングエラー保護を有し得る。図示の実施形態では、より高い電力が奇数トーンにあり、各ストリームは、平均して半分のトーンに現われる。いくつかの実施形態では、すべてのトーン上の平衡された電力は、偶数トーンを、たとえば、３ｄＢだけ電力ブーストすることによって実現され得る。この場合、ストリームｘ３はまた、より良好なチャネル推定（したがって、より良好な雑音保護）によって恩恵を受けることができる。
【０１０３】
[0120]図１４は、パケットを送信するための別の方法の図１４００である。この方法は、ネットワーク上のＡＰ１４４または別のＳＴＡ１４６のいずれかを含む、ワイヤレス通信ネットワーク上のステーションなどのワイヤレス通信デバイスによって行われ得る。様々なブロックが図１４００に示されるが、本開示の範囲内で、ブロックが追加されてよく、除去されてよく、または並べ替えられてよいことを当業者なら諒解されよう。
【０１０４】
[0121]ブロック１４０５において、ワイヤレス通信デバイスは、複数のトーンにわたるＮSTS個の時空間ストリームを介してパケットのプリアンブルを送信し、プリアンブルは、複数の時空間ストリームの各々に対するチャネル推定のために使用されるように構成されたＮLTF個のトレーニングフィールドを含む。ＮSTS個の時空間ストリームのサブセットが、各トーンにおいてアクティブである。図１２〜図１３に関して上記で説明したように、時空間スチームをグルーピングすることが、より小さいＰ行列をもたらし得る。したがって、時空間ストリームの数よりも少ないトレーニングフィールドを送信することによって、パケットのオーバーヘッドが低減され得る。様々な実施形態では、ＮSTSは１よりも大きく、ＮLTFはＮSTSよりも小さい。いくつかの態様では、上記で説明したように、単一のトレーニングフィールドの中の異なる時空間ストリームの行列ベースのグルーピングに起因して、より少数のトレーニングフィールドが送信されてよい。いくつかの態様では、プリアンブルを送信するための手段は、送信機を含むことができ、プリアンブルを生成するための手段は、プロセッサを含むことができる。
【０１０５】
[0122]様々な実施形態では、ＮTF個のトレーニングフィールドの各々は、複数のトーンを介して送信されてよい。複数の時空間ストリームの各々は、複数のＮg個のグループのうちのグループの一部であってよい。各グループは、直交行列に基づいて、複数のトーンのうちのトーンのサブセットへ送信することができる。
【０１０６】
[0123]様々な実施形態では、トレーニングフィールドごとに、各トーンは、サイズがＮSTS／ＮgにＮSTS／ＮgのＰ行列の列によってマスキングされ得る。様々な実施形態では、Ｎg＝ＮSTSであり、単一のトレーニングフィールドが、複数のトーンにわたってインターリーブされた複数の時空間ストリームを介して送信されてよい。
【０１０７】
[0124]様々な実施形態では、ＮSTSがＮgの整数倍でないことがあり、各時空間スチームは、複数のトーンのうちの平均してＮg／ＮSTS個で現われる。様々な実施形態では、ＮSTSがＮgの整数倍でないことがあり、各時空間ストリームは、複数のトーンのうちの平均してＮg個で現われる。様々な実施形態では、すべての奇数トーンは、時空間ストリームの第１のサブセットを投入され得、すべての偶数トーンは、時空間ストリームの第２のサブセットを投入され得る。
【０１０８】
[0125]ブロック１４１０において、ワイヤレス通信デバイスは、ＮSTS個の時空間ストリームを介してパケットのペイロードを送信する。いくつかの態様では、このパケットを生成するための手段は、プロセッサを含むことができ、パケットを送信するための手段は、送信機を含むことができる。
【０１０９】
[0126]本明細書における「第１」、「第２」などの名称を使用する要素へのいかなる言及も、それらの要素の数量または順序を概括的に限定するものでないことを理解されたい。むしろ、これらの名称は、本明細書において２つ以上の要素またはある要素の複数の例を区別する便利なワイヤレスデバイスとして使用され得る。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を含むことができる。
【０１１０】
[0127]情報および信号が様々な異なる技術および技法のいずれかを使用して表され得ることを、当業者は理解されよう。たとえば、上記の説明全体を通して参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１１】
[0128]さらに、本明細書で開示する態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムもしくは設計コード（便宜上、本明細書では「ソフトウェア」または「ソフトウェアモジュール」と呼ぶことがある）、または両方の組合せとして実装され得ることを当業者は諒解されよう。ハードウェアおよびソフトウェアのこの互換性を明確に示すために、様々な例示的な構成要素、ブロック、モジュール、回路、およびステップが、概してそれらの機能に関して上記で説明された。そのような機能をハードウェアとして実装するのか、それともソフトウェアとして実装するのかは、特定の適用例および全体的なシステムに課された設計制約に依存する。当業者なら、説明される機能を特定の適用例ごとに様々な方式で実装することができるが、そのような実装決定は、本開示の範囲からの逸脱を引き起こすと解釈されるべきではない。
【０１１２】
[0129]本明細書で開示した態様に関して、および図１〜図７に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気的構成要素、光学的構成要素、機械的構成要素、または本明細書で説明した機能を実施するように設計されたそれらの任意の組合せを含むことができ、ＩＣの内部に、ＩＣの外部に、またはその両方に常駐するコードまたは命令を実行することができる。論理ブロック、モジュール、および回路は、ネットワーク内またはデバイス内の様々な構成要素と通信するためにアンテナおよび／またはトランシーバを含むことができる。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成として実装され得る。モジュールの機能は、本明細書で教示した方法とは別の何らかの方法で実装され得る。（たとえば、添付の図のうちの１つまたは複数に関して）本明細書で説明した機能は、いくつかの態様では、添付の特許請求の範囲において同様に指定された機能「のための手段」に対応することができる。
【０１１３】
[0130]ソフトウェアで実装される場合、機能は、１つまたは複数の命令またはコードとして、コンピュータ可読媒体に記憶され得るか、またはコンピュータ可読媒体を介して送信され得る。本明細書で開示した方法またはアルゴリズムのステップは、コンピュータ可読媒体上に常駐することができるプロセッサ実行可能ソフトウェアモジュールで実装され得る。コンピュータ可読媒体は、ある場所から別の場所にコンピュータプログラムを転送することを可能にされ得る任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または所望のプログラムコードを命令もしくはデータ構造の形態で記憶するために使用され得、コンピュータによってアクセスされ得る、任意の他の媒体を含むことができる。また、任意の接続も、適切にコンピュータ可読媒体と呼ばれ得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。さらに、方法またはアルゴリズムの動作は、コンピュータプログラム製品に組み込まれ得る機械可読媒体上およびコンピュータ可読媒体上の、コードおよび命令の１つまたは任意の組合せ、あるいはそのセットとして存在することができる。
【０１１４】
[0131]開示する任意のプロセス中のステップの特定の順序または階層は、例示的な手法の一例であることを理解されたい。設計上の選好に基づいて、プロセス中のステップの特定の順序または階層が、本開示の範囲内のまま再構成され得ることを理解されたい。添付の方法クレームは、見本の順序における様々なステップの要素を提示しており、提示された特定の順序または階層に限定されることを意味するものではない。
【０１１５】
[0132]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理、および新規の特徴に一致する最も広い範囲を与られるべきである。「例示的」という単語は、本明細書ではもっぱら「例、事例、または例示の働きをすること」を意味するために使用される。「例示的」として本明細書で説明するいかなる実装形態も、必ずしも他の実装形態よりも好ましいか、または有利であると解釈されるべきではない。
【０１１６】
[0133]別個の実装形態という文脈において本明細書で説明したいくつかの特徴はまた、単一の実装形態において組合せで実装され得る。逆に、単一の実装形態という文脈において説明した様々な特徴はまた、複数の実装形態において別々に、または任意の適切な部分組合せで実装され得る。その上、特徴はいくつかの組合せで働くものとして上記で説明されることがあり、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１１７】
[0134]同様に、動作が特定の順序で図面に示されているが、これは、望ましい結果を達成するために、そのような動作が、示される特定の順序でもしくは順番に実施されることを、またはすべての図示の動作が実施されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。加えて、他の実装形態が以下の特許請求の範囲内に入る。いくつかの場合には、特許請求の範囲に記載されるアクションは、異なる順序で実行され得、それでも望ましい結果を達成することができる。
以下に本願の出願当初の特許請求の範囲に記載された発明を付記する。
[Ｃ１]  ワイヤレス通信ネットワーク上でパケットを送信する方法であって、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長い、
を備える方法。
[Ｃ２]  前記第１のシンボル持続時間が３．２μｓであり、前記第２のシンボル持続時間が６．４μｓである、Ｃ１に記載の方法。
[Ｃ３]  前記第１のシンボル持続時間が６．４μｓであり、前記第２のシンボル持続時間が１２．８μｓである、Ｃ１に記載の方法。
[Ｃ４]  前記第１のシンボル持続時間の前記１つまたは複数のシンボルが、第３の持続時間のサイクリックプレフィックスによって先行され、ここにおいて、前記第２のシンボル持続時間の前記１つまたは複数のシンボルが、第４の持続時間のサイクリックプレフィックスによって先行され、ここにおいて、前記第２の持続時間の前記サイクリックプレフィックスが、前記第１の持続時間の前記サイクリックプレフィックスよりも長い、Ｃ１に記載の方法。
[Ｃ５]  前記第３の持続時間が０．８μｓであり、前記第４の持続時間が３．２μｓである、Ｃ４に記載の方法。
[Ｃ６]  前記第３の持続時間が０．４μｓであり、前記第４の持続時間が１．６μｓである、Ｃ４に記載の方法。
[Ｃ７]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ１に記載の方法。
[Ｃ８]    パケットのプリアンブルを生成することと、前記プリアンブルが、１つまたは複数の時空間ストリームを介して送信されるものであり、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記パケットのペイロードを生成することと、前記ペイロードが、前記１つまたは複数の時空間ストリームを介して送信されるものであり、前記ペイロードが、第２のシンボル持続時間の１つまたは複数のシンボルを備え、前記第２のシンボル持続時間が、前記第１のシンボル持続時間よりも長い、
を行うように構成されたプロセッサと、
前記パケットを送信するように構成された送信機と
を備えるワイヤレス通信装置。
[Ｃ９]  前記第１のシンボル持続時間が３．２μｓであり、前記第２のシンボル持続時間が６．４μｓである、Ｃ８に記載のワイヤレス通信装置。
[Ｃ１０]  前記第１のシンボル持続時間が６．４μｓであり、前記第２のシンボル持続時間が１２．８μｓである、Ｃ８に記載のワイヤレス通信装置。
[Ｃ１１]  前記第１のシンボル持続時間の前記１つまたは複数のシンボルが、前記第１の持続時間のサイクリックプレフィックスによって先行され、ここにおいて、前記第２のシンボル持続時間の前記１つまたは複数のシンボルが、前記第２の持続時間のサイクリックプレフィックスによって先行され、ここにおいて、前記第２の持続時間の前記サイクリックプレフィックスが、前記第１の持続時間の前記サイクリックプレフィックスよりも長い、Ｃ８に記載のワイヤレス通信装置。
[Ｃ１２]  前記第３の持続時間が０．８μｓであり、前記第４の持続時間が３．２μｓである、Ｃ１１に記載のワイヤレス通信装置。
[Ｃ１３]  前記第３の持続時間が０．４μｓであり、前記第４の持続時間が１．６μｓである、Ｃ１１に記載のワイヤレス通信装置。
[Ｃ１４]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ８に記載のワイヤレス通信装置。
[Ｃ１５]  実行されたとき、ワイヤレス通信ネットワークを介してパケットを送信する方法をデバイスの中のプロセッサに実行させる命令を備える非一時的コンピュータ可読媒体であって、前記方法が、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長い、
を備える、非一時的コンピュータ可読媒体。
[Ｃ１６]  前記第１のシンボル持続時間が３．２μｓであり、前記第２のシンボル持続時間が６．４μｓである、Ｃ１５に記載のコンピュータ可読媒体。
[Ｃ１７]  前記第１のシンボル持続時間が６．４μｓであり、前記第２のシンボル持続時間が１２．８μｓである、Ｃ１５に記載のコンピュータ可読媒体。
[Ｃ１８]  前記第１のシンボル持続時間の前記１つまたは複数のシンボルが、第３の持続時間のサイクリックプレフィックスによって先行され、ここにおいて、前記第２のシンボル持続時間の前記１つまたは複数のシンボルが、第４の持続時間のサイクリックプレフィックスによって先行され、ここにおいて、前記第２の持続時間の前記サイクリックプレフィックスが、前記第１の持続時間の前記サイクリックプレフィックスよりも長い、Ｃ１５に記載のコンピュータ可読媒体。
[Ｃ１９]  前記第３の持続時間が０．８μｓであり、前記第４の持続時間が３．２μｓである、Ｃ１８に記載のコンピュータ可読媒体。
[Ｃ２０]  前記第３の持続時間が０．４μｓであり、前記第４の持続時間が１．６μｓである、Ｃ１８に記載のコンピュータ可読媒体。
[Ｃ２１]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ１５に記載のコンピュータ可読媒体。
[Ｃ２２]  １つまたは複数の時空間ストリームを介して送信されるパケットのプリアンブルを生成するための手段と、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して送信されるべき前記パケットのペイロードを生成するための手段と、前記ペイロードが、第２のシンボル持続時間の１つまたは複数のシンボルを備え、ここで、前記第２のシンボル持続時間が、前記第１のシンボル持続時間よりも長い、
前記パケットを送信するための手段と
を備えるワイヤレス通信装置。
[Ｃ２３]  前記第１のシンボル持続時間が３．２μｓであり、前記第２のシンボル持続時間が６．４μｓである、Ｃ２２に記載のワイヤレス通信装置。
[Ｃ２４]  前記第１のシンボル持続時間が６．４μｓであり、前記第２のシンボル持続時間が１２．８μｓである、Ｃ２２に記載のワイヤレス通信装置。
[Ｃ２５]  前記第１のシンボル持続時間の前記１つまたは複数のシンボルが、前記第１の持続時間のサイクリックプレフィックスによって先行され、ここにおいて、前記第２のシンボル持続時間の前記１つまたは複数のシンボルが、前記第２の持続時間のサイクリックプレフィックスによって先行され、ここにおいて、前記第２の持続時間の前記サイクリックプレフィックスが、前記第１の持続時間の前記サイクリックプレフィックスよりも長い、Ｃ２２に記載のワイヤレス通信装置。
[Ｃ２６]  前記第３の持続時間が０．８μｓであり、前記第４の持続時間が３．２μｓである、Ｃ２５に記載のワイヤレス通信装置。
[Ｃ２７]  前記第３の持続時間が０．４μｓであり、前記第４の持続時間が１．６μｓである、Ｃ２５に記載のワイヤレス通信装置。
[Ｃ２８]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ２２に記載のワイヤレス通信装置。
[Ｃ２９]  ワイヤレス通信ネットワーク上でパケットを送信する方法であって、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して前記パケットのペイロードを送信することと
を備える方法。
[Ｃ３０]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ２９に記載の方法。
[Ｃ３１]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ２９に記載の方法。
[Ｃ３２]  前記複数のグループのうちの各グループが、前記複数の時空間ストリームのうちの２つの時空間ストリーム、または前記複数の時空間ストリームのうちの４つの時空間ストリームのいずれかを含む、Ｃ３１に記載の方法。
[Ｃ３３]  ＮTFの値が、ＮSTSの値の約半分、または前記ＮSTSの値の約１／４のいずれかである、Ｃ２９に記載の方法。
[Ｃ３４]  前記プリアンブルと前記ペイロードの両方が、少なくとも１．６μｓまたは少なくとも１２．８μｓのいずれかのシンボル持続時間を用いて送信される、Ｃ２９に記載の方法。
[Ｃ３５]    複数のトーンにわたるＮSTS個の時空間ストリームを介してパケットのプリアンブルを生成することと、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して送信されるべき前記パケットのペイロードを生成することと
を行うように構成されたプロセッサと、
前記パケットを送信するように構成された送信機と
を備えるワイヤレス通信装置。
[Ｃ３６]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ３５に記載のワイヤレス通信装置。
[Ｃ３７]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ３５に記載のワイヤレス通信装置。
[Ｃ３８]  前記複数のグループのうちの各グループが、前記複数の時空間ストリームのうちの２つの時空間ストリーム、または前記複数の時空間ストリームのうちの４つの時空間ストリームのいずれかを含む、Ｃ３７に記載のワイヤレス通信装置。
[Ｃ３９]  ＮTFの値が、ＮSTSの値の約半分、またはＮSTSの前記値の約１／４のいずれかである、Ｃ３５に記載のワイヤレス通信装置。
[Ｃ４０]  前記プリアンブルと前記ペイロードの両方が、少なくとも１．６μｓまたは少なくとも１２．８μｓのいずれかのシンボル持続時間を用いて送信される、Ｃ３５に記載のワイヤレス通信装置。
[Ｃ４１]  実行されたとき、ワイヤレス通信ネットワークを介してパケットを送信する方法をデバイスの中のプロセッサに実行させる命令を備える非一時的コンピュータ可読媒体であって、前記方法が、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して前記パケットのペイロードを送信することと
を備える、非一時的コンピュータ可読媒体。
[Ｃ４２]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ４１に記載のコンピュータ可読媒体。
[Ｃ４３]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ４１に記載のコンピュータ可読媒体。
[Ｃ４４]  前記複数のグループのうちの各グループが、前記複数の時空間ストリームのうちの２つの時空間ストリーム、または前記複数の時空間ストリームのうちの４つの時空間ストリームのいずれかを含む、Ｃ４３に記載のコンピュータ可読媒体。
[Ｃ４５]  ＮTFの値が、ＮSTSの値の約半分、またはＮSTSの前記値の約１／４のいずれかである、Ｃ４１に記載のコンピュータ可読媒体。
[Ｃ４６]  前記プリアンブルと前記ペイロードの両方が、少なくとも１．６μｓまたは少なくとも１２．８μｓのいずれかのシンボル持続時間を用いて送信される、Ｃ４１に記載のコンピュータ可読媒体。
[Ｃ４７]  複数のトーンにわたるＮSTS個の時空間ストリームを介してパケットのプリアンブルを送信するための手段と、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して前記パケットのペイロードを送信するための手段と
を備えるワイヤレス通信装置。
[Ｃ４８]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ４７に記載のワイヤレス通信装置。
[Ｃ４９]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ４７に記載のワイヤレス通信装置。
[Ｃ５０]  前記複数のグループのうちの各グループが、前記複数の時空間ストリームのうちの２つの時空間ストリーム、または前記複数の時空間ストリームのうちの４つの時空間ストリームのいずれかを含む、Ｃ４９に記載のワイヤレス通信装置。
[Ｃ５１]  ＮTFの値が、ＮSTSの値の約半分、またはＮSTSの前記値の約１／４のいずれかである、Ｃ４７に記載のワイヤレス通信装置。
[Ｃ５２]  前記プリアンブルと前記ペイロードの両方が、少なくとも１．６μｓまたは少なくとも１２．８μｓのいずれかのシンボル持続時間を用いて送信される、Ｃ４７に記載のワイヤレス通信装置。
[Ｃ５３]  ワイヤレス通信ネットワーク上でパケットを送信する方法であって、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して前記パケットのペイロードを送信することと
を備える方法。
[Ｃ５４]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ５３に記載の方法。
[Ｃ５５]  トレーニングフィールドごとに、各トーンが、サイズがＮSTS／ＮgにＮSTS／ＮgのＰ行列の列によってマスキングされる、Ｃ５４に記載の方法。
[Ｃ５６]  ＮgがＮSTSに等しく、単一のトレーニングフィールドが、前記複数のトーンにわたってインターリーブされた前記複数の時空間ストリームを介して送信される、Ｃ５４に記載の方法。
[Ｃ５７]  ＮSTSがＮgの整数倍でなく、各時空間スチームが、前記複数のトーンのうちの平均してＮg／ＮSTS個で現われる、Ｃ５４に記載の方法。
[Ｃ５８]  ＮSTSがＮgの整数倍でなく、各時空間スチームが、前記複数のトーンのうちの平均してＮg個で現われる、Ｃ５４に記載の方法。
[Ｃ５９]  すべての奇数トーンは時空間ストリームの第１のサブセットを投入され、すべての偶数トーンは時空間ストリームの第２のサブセットを投入される、Ｃ５３に記載の方法。
[Ｃ６０]    複数のトーンにわたるＮSTS個の時空間ストリームを介してパケットのプリアンブルを生成することと、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して送信されるべき前記パケットのペイロードを生成することと
を行うように構成されたプロセッサと、
前記パケットを送信するように構成された送信機と
を備えるワイヤレス通信装置。
[Ｃ６１]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ６０に記載のワイヤレス通信装置。
[Ｃ６２]  トレーニングフィールドごとに、各トーンが、サイズがＮSTS／ＮgにＮSTS／ＮgのＰ行列の列によってマスキングされる、Ｃ６１に記載のワイヤレス通信装置。
[Ｃ６３]  ＮgがＮSTSに等しく、単一のトレーニングフィールドが、前記複数のトーンにわたってインターリーブされた前記複数の時空間ストリームを介して送信される、Ｃ６１に記載のワイヤレス通信装置。
[Ｃ６４]  ＮSTSがＮgの整数倍でなく、各時空間スチームが、前記複数のトーンのうちの平均してＮg／ＮSTS個で現われる、Ｃ６１に記載のワイヤレス通信装置。
[Ｃ６５]  ＮSTSがＮgの整数倍でなく、各時空間スチームが、前記複数のトーンのうちの平均してＮg個で現われる、Ｃ６１に記載のワイヤレス通信装置。
[Ｃ６６]  すべての奇数トーンは時空間ストリームの第１のサブセットを投入され、すべての偶数トーンは時空間ストリームの第２のサブセットを投入される、Ｃ６０に記載のワイヤレス通信装置。
[Ｃ６７]  実行されたとき、ワイヤレス通信ネットワークを介してパケットを送信する方法をデバイスの中のプロセッサに実行させる命令を備える非一時的コンピュータ可読媒体であって、前記方法が、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して前記パケットのペイロードを送信することと
を備える、非一時的コンピュータ可読媒体。
[Ｃ６８]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ６７に記載のコンピュータ可読媒体。
[Ｃ６９]  トレーニングフィールドごとに、各トーンが、サイズがＮSTS／ＮgにＮSTS／ＮgのＰ行列の列によってマスキングされる、Ｃ６８に記載のコンピュータ可読媒体。
[Ｃ７０]  ＮgがＮSTSに等しく、単一のトレーニングフィールドが、前記複数のトーンにわたってインターリーブされた前記複数の時空間ストリームを介して送信される、Ｃ６８に記載のコンピュータ可読媒体。
[Ｃ７１]  ＮSTSがＮgの整数倍でなく、各時空間スチームが、前記複数のトーンのうちの平均してＮg／ＮSTS個で現われる、Ｃ６８に記載のコンピュータ可読媒体。
[Ｃ７２]  ＮSTSがＮgの整数倍でなく、各時空間スチームが、前記複数のトーンのうちの平均してＮg個で現われる、Ｃ６８に記載のコンピュータ可読媒体。
[Ｃ７３]  すべての奇数トーンは時空間ストリームの第１のサブセットを投入され、すべての偶数トーンは時空間ストリームの第２のサブセットを投入される、Ｃ６７に記載のコンピュータ可読媒体。
[Ｃ７４]  複数のトーンにわたるＮSTS個の時空間ストリームを介してパケットのプリアンブルを送信するための手段と、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して前記パケットのペイロードを送信するための手段と
を備えるワイヤレス通信装置。
[Ｃ７５]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ７４に記載のワイヤレス通信装置。
[Ｃ７６]  トレーニングフィールドごとに、各トーンが、サイズがＮSTS／ＮgにＮSTS／ＮgのＰ行列の列によってマスキングされる、Ｃ７５に記載のワイヤレス通信装置。
[Ｃ７７]  ＮgがＮSTSに等しく、単一のトレーニングフィールドが、前記複数のトーンにわたってインターリーブされた前記複数の時空間ストリームを介して送信される、Ｃ７５に記載のワイヤレス通信装置。
[Ｃ７８]  ＮSTSがＮgの整数倍でなく、各時空間スチームが、前記複数のトーンのうちの平均してＮg／ＮSTS個で現われる、Ｃ７５に記載のワイヤレス通信装置。
[Ｃ７９]  ＮSTSがＮgの整数倍でなく、各時空間スチームが、前記複数のトーンのうちの平均してＮg個で現われる、Ｃ７５に記載のワイヤレス通信装置。
[Ｃ８０]  すべての奇数トーンは時空間ストリームの第１のサブセットを投入され、すべての偶数トーンは時空間ストリームの第２のサブセットを投入される、Ｃ７４に記載のワイヤレス通信装置。
【図１】
0006498700.tif 000003
【図２】
0006498700.tif 000004
【図３】
0006498700.tif 000005
【図４】
0006498700.tif 000006
【図５】
0006498700.tif 000007
【図６】
0006498700.tif 000008
【図７】
0006498700.tif 000009
【図８】
0006498700.tif 000010
【図９】
0006498700.tif 000011
【図１０】
0006498700.tif 000012
【図１１Ａ】
0006498700.tif 000013
【図１１Ｂ】
0006498700.tif 000014
【図１２Ａ】
0006498700.tif 000015
【図１２Ｂ】
0006498700.tif 000016
【図１２Ｃ】
0006498700.tif 000017
【図１３Ａ】
0006498700.tif 000018
【図１３Ｂ】
0006498700.tif 000019
【図１３Ｃ】
0006498700.tif 000020
【図１４】
0006498700.tif 000021